(57)【要約】【課題】柔軟性のあるインクを用いて光沢むらの無い、中間調部分における色再現性、粒状性に優れた画像を記録する。【解決手段】  活性エネルギーの付与により硬化する硬化性インクを吐出するノズルが第１の方向に間隔Ｐで配置されたノズル列であって、Ｎ色のインクをそれぞれ吐出するＮ個（Ｎ≧２）の色毎のノズル列が第１の方向にＰ／Ｎずつずらして配置されているインクジェットヘッドのノズルから、インク顔料と、少なくともＮ−ビニルラクタム類を含有する重合性化合物と、を含み、インク顔料の粒径の体積累積分布９０％径が５００ｎｍ以下であり、かつ、Ｎ−ビニルラクタム類の含有率が３％〜２４％であるインクを吐出して画像を形成するインクジェット記録装置によって上記課題を解決する。【選択図】図１
2014083804.tif 000002
【特許請求の範囲】
【請求項１】
活性エネルギーの付与により硬化する硬化性インクを吐出するノズルが第１の方向に間隔Ｐで配置されたノズル列であって、少なくともシアン、マゼンタ、イエロー、ブラックの４色の濃インクをそれぞれ吐出するＮ個（Ｎ≧４）の色毎のノズル列が、前記第１の方向にＰ／Ｎずつずらして配置されているインクジェットヘッドと、
前記ノズルから吐出され、記録媒体の記録面に打滴されたインク滴に前記活性エネルギーを付与する活性エネルギー付与手段と、
前記インクジェットヘッドと前記活性エネルギー付与手段とを前記第１の方向に直交する第２の方向に沿って配置して保持する保持手段と、
前記保持手段と前記記録媒体とを前記第２の方向に０．９ｍ／ｓ以上の速度で相対的に走査させる走査手段と、
前記走査手段による走査毎に、前記保持手段と前記記録媒体とを前記第１の方向に相対的に移動させる移動手段と、
前記保持手段により保持された前記インクジェットヘッド及び前記活性エネルギー付与手段を前記記録媒体の各領域に対して相対的に複数回走査させながら前記記録媒体の記録面に画像を形成させる制御手段と、
を備え、
前記硬化性インクは、インク顔料と、少なくともＮ−ビニルラクタム類を含有する重合性化合物と、を含み、前記インク顔料の粒径の体積累積分布９０％径が５００ｎｍ以下であり、かつ、Ｎ−ビニルラクタム類の含有率が３％〜２４％であるインクジェット記録装置。
【請求項２】
前記Ｎ−ビニルラクタム類が、Ｎ−ビニルカプロラクタムである請求項１に記載のインクジェット記録装置。
【請求項３】
前記制御手段は、前記インクジェットヘッドの吐出周波数を１０ｋＨｚ以上として画像を形成させる請求項１又は２に記載のインクジェット記録装置。
【請求項４】
前記硬化性インクは、波長３００〜４５０ｎｍの活性エネルギー線に増感作用を有する化合物を含有する請求項１から３のいずれか１項に記載のインクジェット記録装置。
【請求項５】
前記インクジェットヘッドは、該インクジェットヘッドに対する前記記録媒体の相対移動の最上流側に最も硬化感度の低い硬化性インクのノズルが配置され、
前記制御手段は、前記記録媒体の相対移動の上流側に配置されたノズルの硬化性インクほど前記記録媒体の記録面に近い層に配置して前記記録媒体の記録面に画像を形成させる請求項１から４のいずれか１項に記載のインクジェット記録装置。
【請求項６】
前記最も硬化感度の低い硬化性インクは前記ブラックの硬化性インクである請求項５に記載のインクジェット記録装置。
【請求項７】
前記インクジェットヘッドの各ノズル列は、前記インクジェットヘッドに対する前記記録媒体の相対移動の上流側から、前記最も硬化感度の低い硬化性インクのノズルの次に２番目に硬化感度の低い硬化性インクのノズルが配置された請求項５又は６に記載のインクジェット記録装置。
【請求項８】
前記インクジェットヘッドの各ノズル列は、前記第１の方向について、前記インクジェットヘッドに対する前記記録媒体の相対移動の上流側から、硬化感度の低い硬化性インクの順にノズルがずらして配置されている請求項７に記載のインクジェット記録装置。
【請求項９】
前記インクジェットヘッドは、前記濃インクと同色系の淡インクのうち少なくとも１色の淡インクをそれぞれ吐出するＮ個（Ｎ≧５）の色毎のノズル列を有し、２つの異なる前記濃インクのノズルの間に前記淡インクのノズルが配置されている請求項１から８のいずれか１項に記載のインクジェット記録装置。
【請求項１０】
前記インクジェットヘッドは、前記淡インクとしてライトシアン及びライトマゼンタのインクをそれぞれ吐出するノズル列を有し、
前記インクジェットヘッドの各ノズル列は、前記第１の方向にノズルがＰ／６ずつずらして配置され、かつ前記シアンのノズルと前記マゼンタのノズル、又は前記マゼンタのノズルと前記イエローのノズル、又は前記イエローのノズルと前記シアンのノズル、の間に前記ライトシアン、又は前記ライトマゼンタのノズルが配置されている請求項９に記載のインクジェット記録装置。
【請求項１１】
前記活性エネルギー付与手段は、前記走査手段による１回の走査において、前記記録媒体の記録面に打滴されたインク滴を不完全に硬化させる程度の前記活性エネルギーを付与する請求項１から１０のいずれか１項に記載のインクジェット記録装置。
【請求項１２】
前記活性エネルギー付与手段によって前記活性エネルギーが付与されたインク滴に対してさらに活性エネルギーを付与することで前記インク滴を本硬化させる第２の活性エネルギー付与手段を備えた請求項１１に記載のインクジェット記録装置。
【請求項１３】
前記保持手段は、前記記録媒体の相対移動の下流側に前記第２の活性エネルギー付与手段を保持する請求項１２に記載のインクジェット記録装置。
【請求項１４】
前記保持手段は、前記インクジェットヘッドの前記第２の方向における両隣に前記活性エネルギー付与手段を保持する請求項１から１３のいずれか１項に記載のインクジェット記録装置。
【請求項１５】
前記インクジェットヘッドは、前記Ｎ色のノズル列の前記第２の方向の両側にクリア及びホワイトのインクをそれぞれ吐出するノズル列を有する請求項１から１４のいずれか１項に記載のインクジェット記録装置。
【請求項１６】
活性エネルギーの付与により硬化する硬化性インクを吐出するノズルが第１の方向に間隔Ｐで配置されたノズル列であって、少なくともシアン、マゼンタ、イエロー、ブラックの４色の濃インクをそれぞれ吐出するＮ個（Ｎ≧４）の色毎のノズル列が、前記第１の方向にＰ／Ｎずつずらして配置されているインクジェットヘッドと、前記ノズルから吐出され、記録媒体の記録面に打滴されたインク滴に前記活性エネルギーを付与する活性エネルギー付与手段と、を前記第１の方向に直交する第２の方向に沿って配置して保持手段によって保持する保持工程と、
前記保持手段と前記記録媒体とを前記第２の方向に０．９ｍ／ｓ以上の速度で相対的に走査させる走査工程と、
前記走査工程による走査毎に、前記保持手段と前記記録媒体とを前記第１の方向に相対的に移動させる移動工程と、
前記保持手段により保持された前記インクジェットヘッド及び前記活性エネルギー付与手段を前記記録媒体の各領域に対して相対的に複数回走査させながら前記記録媒体の記録面に画像を形成させる制御工程と、
を備え、
前記硬化性インクは、インク顔料と、少なくともＮ−ビニルラクタム類を含有する重合性化合物と、を含み、前記インク顔料の粒径の体積累積分布９０％径が５００ｎｍ以下であり、かつ、Ｎ−ビニルラクタム類の含有率が３％〜２４％であるインクジェット記録方法。
【発明の詳細な説明】
【技術分野】
【０００１】
本発明は、インクジェット記録装置及びインクジェット記録方法に関し、特にフィルム等の軟包装の記録媒体に複数色のインクを吐出して画像を形成する技術に関する。
【背景技術】
【０００２】
インクジェット方式の記録方法において、紫外線を照射すると硬化するＵＶ硬化インク（紫外線硬化型インク）を用いる方法が知られている。ＵＶ硬化インクは、硬化性及び保存安定性の点に課題があった。
【０００３】
これに対し、特許文献１には、硬化性及び保存安定性に優れた紫外線硬化型インクが記載されている。
【先行技術文献】
【特許文献】
【０００４】
【特許文献１】特開２０１２−９２２９１号公報
【発明の概要】
【発明が解決しようとする課題】
【０００５】
インクジェット記録装置は、所望の位置にインク滴を打滴することにより画像が形成される。所望の位置にインクを着弾させるためには、ヘッドのスキャン速度、スローディスタンスを精密に調整する必要がある。また、インク滴の吐出方向や速度に関しては、インクの粘度、表面張力、顔料粒径等のインク物性に大きく影響を受け、その結果、画像品質に大きな影響を与える。
【０００６】
近年、インクジェット記録装置の高生産化に伴い、ヘッドのスキャン速度が高速化する傾向にある。従って、インク物性のバラツキや時間経過による物性変化の許容幅は小さくなってきている。また、着弾位置精度の確保が困難になってきており、色間の着弾干渉が増加する。これにより、記録した画像に光沢むらが発生する。
【０００７】
一方、フィルム等の軟包装の記録媒体に対してインクジェット記録装置を用いてプリントを行った場合、媒体の伸張に伴って乾燥後のインクに剥離や亀裂が発生することがある。したがって、このような媒体に対してプリントをするには、インクの柔軟性が要求される。インクの柔軟性を向上させるためには、インク中のＮＶＣ（Ｎ−ビニルカプロラクタム）の含有率を下げることが考えられる。
【０００８】
しかしながら、ＮＶＣの含有率を下げると、着弾干渉が増加し、光沢むらが発生するという問題点があった。
【０００９】
本発明はこのような事情に鑑みてなされたもので、柔軟性のあるインクを用いて光沢むらの無い、中間調部分における色再現性、粒状性に優れた画像を記録することができるインクジェット記録装置及びインクジェット記録方法を提供することを目的とする。
【課題を解決するための手段】
【００１０】
前記目的を達成するためにインクジェット記録装置の一の態様は、活性エネルギーの付与により硬化する硬化性インクを吐出するノズルが第１の方向に間隔Ｐで配置されたノズル列であって、少なくともシアン、マゼンタ、イエロー、ブラックの４色の濃インクをそれぞれ吐出するＮ個（Ｎ≧４）の色毎のノズル列が、前記第１の方向にＰ／Ｎずつずらして配置されているインクジェットヘッドと、ノズルから吐出され、記録媒体の記録面に打滴されたインク滴に活性エネルギーを付与する活性エネルギー付与手段と、インクジェットヘッドと活性エネルギー付与手段とを第１の方向に直交する第２の方向に沿って配置して保持する保持手段と、保持手段と記録媒体とを第２の方向に０．９ｍ／ｓ以上の速度で相対的に走査させる走査手段と、走査手段による走査毎に、保持手段と記録媒体とを第１の方向に相対的に移動させる移動手段と、保持手段により保持されたインクジェットヘッド及び活性エネルギー付与手段を記録媒体の各領域に対して相対的に複数回走査させながら記録媒体の記録面に画像を形成させる制御手段と、を備え、硬化性インクは、インク顔料と、少なくともＮ−ビニルラクタム類を含有する重合性化合物と、を含み、インク顔料の粒径の体積累積分布９０％径が５００ｎｍ以下であり、かつ、Ｎ−ビニルラクタム類の含有率が３％〜２４％である。
【００１１】
本態様によれば、Ｎ−ビニルラクタム類の含有率を３％〜２４％としているので、インクの柔軟性と硬化性を両立することができ、インク顔料の粒径の体積累積分布９０％径を５００ｎｍ以下としているので、インクの飛翔曲がりを防止し、飛翔速度を均一にすることができるので、中間調部分における色再現性、粒状性に優れた画像を形成することができる。さらに、第１の方向に間隔Ｐで配置されたノズル列を、第１の方向にＰ／Ｎずつずらしているので、光沢むらの発生を抑制することができる。
【００１２】
Ｎ−ビニルラクタム類が、Ｎ−ビニルカプロラクタムであることが好ましい。Ｎ−ビニルカプロラクタムを用いることで、特に良好なインク硬化性、記録媒体への良好な密着性を得ることができる。
【００１３】
制御手段は、インクジェットヘッドの吐出周波数を１０ｋＨｚ以上として画像を形成させることが好ましい。これにより、走査手段による相対移動速度を高くしても、適切に画像を形成することができる。
【００１４】
硬化性インクは、波長３００〜４５０ｎｍの活性エネルギー線に増感作用を有する化合物を含有することが好ましい。これにより、紫外線の照射に対して、効果的にインクの硬化を行うことができる。
【００１５】
インクジェットヘッドは、該インクジェットヘッドに対する記録媒体の相対移動の最上流側に最も硬化感度の低い硬化性インクのノズルが配置され、制御手段は、記録媒体の相対移動の上流側に配置されたノズルの硬化性インクほど記録媒体の記録面に近い層に配置して記録媒体の記録面に画像を形成させることが好ましい。これにより、表面層の状態を常に一定にすることができ、かつ濃インク同士の着弾干渉を軽減することができ、光沢むらを低減することができる。
【００１６】
最も硬化感度の低い硬化性インクはブラックのインクであることが好ましい。本態様は、このような硬化感度を有するインクセットについて、適用することができる。
【００１７】
インクジェットヘッドの各ノズル列は、インクジェットヘッドに対する記録媒体の相対移動の上流側から、最も硬化感度の低い硬化性インクのノズルの次に２番目に硬化感度の低い硬化性インクのノズルが配置されたことが好ましい。これにより、さらに表面層の状態を一定にすることができ、光沢むらをより低減することができる。
【００１８】
インクジェットヘッドの各ノズル列は、第１の方向について、インクジェットヘッドに対する記録媒体の相対移動の上流側から、硬化感度の低い硬化性インクの順にノズルがずらして配置されていることが好ましい。これにより、硬化感度の低い硬化性インクの順に記録媒体の記録面に近い層に配置できるので、表面層の状態を常に一定にすることができ、光沢むらを適切に低減することができる。
【００１９】
インクジェットヘッドは、濃インクと同色系の淡インクのうち少なくとも１色の淡インクをそれぞれ吐出するＮ個（Ｎ≧５）の色毎のノズル列を有し、２つの異なる濃インクのノズルの間に淡インクのノズルが配置されていることが好ましい。これにより、濃インク同士の打滴干渉を低減することができ、光沢むらを回避することができる。
【００２０】
インクジェットヘッドは、淡インクとしてライトシアン及びライトマゼンタのインクをそれぞれ吐出するノズル列を有し、インクジェットヘッドの各ノズル列は、第１の方向にノズルがＰ／６ずつずらして配置され、かつシアンのノズルとマゼンタのノズル、又はマゼンタのノズルとイエローのノズル、又はイエローのノズルとシアンのノズル、の間にライトシアン、又はライトマゼンタのノズルが配置されていることが好ましい。本態様は、ライトシアン及びライトマゼンタのインクを用いたインクジェット記録装置に適用することができる。
【００２１】
活性エネルギー付与手段は、走査手段による１回の走査において、記録媒体の記録面に打滴されたインク滴を不完全に硬化させる程度の活性エネルギーを付与することが好ましい。これにより、光沢性を増すことができる。
【００２２】
活性エネルギー付与手段によって活性エネルギーが付与されたインク滴に対してさらに活性エネルギーを付与することでインク滴を本硬化させる第２の活性エネルギー付与手段を備えたことが好ましい。これにより、適切にインクを硬化させることができる。
【００２３】
保持手段は、記録媒体の相対移動の下流側に第２の活性エネルギー付与手段を保持することが好ましい。これにより、適切にインクを硬化させることができる。
【００２４】
保持手段は、インクジェットヘッドの第２の方向における両隣に活性エネルギー付与手段を保持することが好ましい。これにより、適切にインクを不完全に硬化させることができる。
【００２５】
インクジェットヘッドは、Ｎ色のノズル列の第２の方向の両側にクリア及びホワイトのインクをそれぞれ吐出するノズル列を有することが好ましい。本態様は、クリアインクやホワイトインクを有するインクジェット記録装置に適用することができる。
【００２６】
前記目的を達成するためにインクジェット記録方法の一の態様は、活性エネルギーの付与により硬化する硬化性インクを吐出するノズルが第１の方向に間隔Ｐで配置されたノズル列であって、少なくともシアン、マゼンタ、イエロー、ブラックの４色の濃インクをそれぞれ吐出するＮ個（Ｎ≧４）の色毎のノズル列が、前記第１の方向にＰ／Ｎずつずらして配置されているインクジェットヘッドと、ノズルから吐出され、記録媒体の記録面に打滴されたインク滴に活性エネルギーを付与する活性エネルギー付与手段と、を第１の方向に直交する第２の方向に沿って配置して保持手段によって保持する保持工程と、保持手段と記録媒体とを第２の方向に０．９ｍ／ｓ以上の速度で相対的に走査させる走査工程と、走査工程による走査毎に、保持手段と記録媒体とを第１の方向に相対的に移動させる移動工程と、保持手段により保持されたインクジェットヘッド及び活性エネルギー付与手段を記録媒体の各領域に対して相対的に複数回走査させながら記録媒体の記録面に画像を形成させる制御工程と、を備え、硬化性インクは、インク顔料と、少なくともＮ−ビニルラクタム類を含有する重合性化合物と、を含み、インク顔料の粒径が５００ｎｍ以下であり、かつ、Ｎ−ビニルラクタム類の含有率が３％〜２４％である。
【００２７】
本態様によれば、Ｎ−ビニルラクタム類の含有率を３％〜２４％としているので、インクの柔軟性と硬化性を両立することができ、インク顔料の粒径の体積累積分布９０％径を５００ｎｍ以下としているので、インクの飛翔曲がりを防止し、飛翔速度を均一にすることができるので、中間調部分における色再現性、粒状性に優れた画像を形成することができる。さらに、第１の方向に間隔Ｐで配置されたノズル列を、第１の方向にＰ／Ｎずつずらしているので、光沢むらの発生を抑制することができる。
【発明の効果】
【００２８】
本発明によれば、柔軟性のあるインクを用いて光沢むらの無い、中間調部分における色再現性、粒状性に優れた画像を記録することができる。
【図面の簡単な説明】
【００２９】
【図１】インクジェット記録装置の構成の概要を説明するための説明図
【図２】インクジェット記録装置のシステム構成図
【図３】インクジェットヘッドの拡大模式図
【図４】インターレース方式を説明するための図
【図５】本実施形態の画像形成方法を示すフローチャート
【図６】インターレース方式の他の打滴順を示す図
【図７】インクジェット記録装置の外観斜視図
【図８】実施例のヘッドユニットを示す図
【図９】キャリッジ上に配置されるインクジェットヘッド及び硬化光源の配置形態を示す平面透視図
【図１０】インク供給系の構成を示すブロック図
【図１１】インクジェット記録装置の構成を示すブロック図
【図１２】ミルベースの配合量を示す表図
【図１３】実施例のインク組成の配合量、結果を示す表図
【図１４】実施例のインク組成の配合量、結果を示す表図
【図１５】実施例のインク組成の配合量、結果を示す表図
【図１６】実施例のインク組成の配合量、結果を示す表図
【図１７】実施例のインク組成の配合量、結果を示す表図
【図１８】実施例のインク組成の配合量、結果を示す表図
【図１９】比較例のインク組成の配合量、結果を示す表図
【発明を実施するための形態】
【００３０】
以下、添付図面に従って本発明の実施形態について詳細に説明する。
【００３１】
＜第１の実施形態＞
〔インクジェット記録装置の概略〕
図１は、インクジェット記録装置１００の構成の概要を説明するための説明図である。また、図２は、インクジェット記録装置１００のシステム構成図である。
【００３２】
インクジェット記録装置１００は、インクジェットヘッド１１０、硬化光源１１６Ｒ、１１６Ｌ、これらインクジェットヘッド１１０及び硬化光源１１６Ｒ、１１６Ｌを搭載したキャリッジ１１８（保持手段の一例）、キャリッジ１１８を主走査方向（第２の方向の一例）に伸延されたガイド１１９に沿って走査（スキャン）可能に構成されたキャリッジ走査機構１３０（走査手段の一例）、上面に載置された記録媒体１２０を主走査方向に直交する副走査方向（第１の方向の一例）に移動可能に構成された記録媒体搬送機構１３２（移動手段の一例）、有線又は無線の通信インターフェースを介して画像データを取得する画像入力インターフェース１３４、入力された画像データに所望の画像処理を施す画像処理部１３６、インクジェット記録装置１００を統括制御する制御部１３８、等から構成される。
【００３３】
図３は、インクジェットヘッド１１０の拡大模式図である。インクジェットヘッド１１０は、６つのヘッド１１２Ｋ、１１２Ｃ、１１２Ｍ、１１２Ｙ、１１２ＬＣ、１１２ＬＭ（ノズル列の一例）から構成されている。６つのヘッド１１２Ｋ、１１２Ｃ、１１２Ｍ、１１２Ｙ、１１２ＬＣ、１１２ＬＭは、紫外線硬化型インク（ＵＶ硬化インク、活性エネルギーの付与により硬化する硬化性インクの一例）である黒インク（ブラックインク、Ｋインク）、シアンインク（Ｃインク）、マゼンタインク（Ｍインク）、イエローインク（Ｙインク）、ライトシアンインク（ＬＣインク）、ライトマゼンタインク（ＬＭインク）を吐出するための複数のノズル１１４Ｋ、１１４Ｃ、１１４Ｍ、１１４Ｙ、１１４ＬＣ、１１４ＬＭをそれぞれ有している。なお、ＬＣインクはＣインクと同色系であり、Ｃインクよりも色材濃度が低いインク（淡インク）である。同様に、ＬＭインクはＭインクと同系色であり、Ｍインクよりも色材濃度が低いインク（淡インク）である。
【００３４】
本実施形態において、各色インクは、重合性モノマーとしてＮＶＣ（Ｎ−ビニルカプロラクタム）、及び光重合開始剤として３００〜４５０ｎｍの波長域に増感作用を有する化合物（例えばＩＴＸ）を含有している。また、Ｋインク、Ｃインク、Ｍインク、Ｙインク、ＬＣインク、ＬＭインクの６色のインクのうち、硬化光源１１６Ｒ、１１６Ｌから照射される紫外線の波長（例えば３８５ｎｍ）に対して、Ｋインクの硬化感度が最も低く、Ｙインクの硬化感度が２番目に低い。さらに、ＬＭインク、Ｃインク、ＬＣインク、Ｍインクの順に硬化感度が低い。
【００３５】
ここで、硬化感度とは、紫外線を照射してインク滴を硬化させる場合に、完全に硬化させるために必要なエネルギー量をいい、エネルギー量が小さいほど高感度である。したがって、硬化感度が最も低いとは、完全に硬化させるために必要なエネルギー量が最も大きいことをいう。
【００３６】
また、Ｋインク、Ｃインク、Ｍインク、Ｙインク、ＬＣインク、ＬＭインクの各色インクは、動的光散乱法により測定した顔料粒子の体積累積分布９０％径（本明細書では、「顔料粒径（ＤＶ９０）」と呼ぶ場合がある）が５００ｎｍ以下である。顔料粒径（ＤＶ９０）が５００ｎｍを超えると、着弾位置精度が悪化する。本実施形態では、顔料粒径（ＤＶ９０）を５００ｎｍ以下とすることで、着弾位置精度を確保し、色間の着弾干渉を防止している。
【００３７】
ヘッド１１２Ｋの複数のノズル１１４Ｋは、副走査方向に沿って等間隔に１列に配置されている。同様にヘッド１１２Ｃの複数のノズル１１４Ｃ、ヘッド１１２Ｍの複数のノズル１１４Ｍ、ヘッド１１２Ｙの複数のノズル１１４Ｙ、ヘッド１１２ＬＣの複数のノズル１１４ＬＣ、ヘッド１１２ＬＭの複数のノズル１１４ＬＭは、それぞれ副走査方向に沿って等間隔に１列に配置されている。ここでは、各色ヘッド１１２のノズル１１４のピッチ（間隔）は、全て１００ｄｐｉである。
【００３８】
各色ヘッド１１２は、主走査方向左から１１２ＬＭ、１１２Ｋ、１１２Ｃ、１１２Ｍ、１１２Ｙ、１１２ＬＣの順に配置されている。
【００３９】
また、副走査方向には、記録媒体搬送方向の最上流側にノズル１１４Ｋが配置され、下流側に向かって１１４Ｋ、１１４Ｙ、１１４ＬＭ、１１４Ｃ、１１４ＬＣ、１１４Ｍの順に等間隔で（６００ｄｐｉ（２５４μｍ÷６＝約４２μｍ）の間隔で）並ぶように各色ヘッド１１２がずらして配置されている。ここで、印字に使用されるノズル（有効ノズル）のうち最も上流側に配置されるノズルがノズル１１４Ｋであればよく、印字に使用されることのないノズル（無効ノズル）がノズル１１４Ｋよりも上流側に配置されていてもよい。
【００４０】
このように、各色ヘッド１１２は、ノズルピッチ（ノズルの間隔）をＰ、ヘッド数（ノズル列数）をＮとすると、副走査方向にＰ／Ｎずつずらして配置されている。
【００４１】
インクジェットヘッド１１０は、キャリッジ１１８の走査により主走査方向に往復走査（スキャン）されるとともに、制御部１３８の制御に従って各色ヘッド１１２のノズル１１４からインクを吐出することで、記録媒体１２０の記録面に各色インクのインク滴を打滴する。本実施形態において、各色ヘッド１１２のノズル１１４は、１０ｋＨｚ以上の周波数でインク滴を吐出することが可能である。
【００４２】
記録媒体１２０は、インクジェットヘッド１１０が主走査方向に走査される度に、記録媒体搬送機構１３２により副走査方向に所定量だけ搬送（走査）される。なお、本明細書では、図１の上側を記録媒体１２０の搬送方向の上流側、図１の下側を記録媒体１２０の搬送方向の下流側と呼ぶ。
【００４３】
硬化光源１１６Ｒ、１１６Ｌ（活性エネルギー付与手段の一例）は、それぞれ複数個のＵＶ−ＬＥＤ（Ultraviolet−Light Emitting Diode）を備えている。硬化光源１１６Ｒ、１１６Ｌは、制御部１３８により、キャリッジ１１８の主走査の上流側に位置するＵＶ−ＬＥＤが消灯され、下流側に位置するＵＶ−ＬＥＤが点灯される。この点灯されたＵＶ−ＬＥＤにおいて、各色ヘッド１１２から記録媒体１２０に打滴された各色インクのインク滴に対して紫外線を照射し、不完全に硬化（半硬化）させる。
【００４４】
即ち、キャリッジ１１８が図１の右方向に移動しながら各色ヘッド１１２のノズル１１４からインクを吐出する場合には、走査の下流側に位置する硬化光源１１６ＬのＵＶ−ＬＥＤによりインク滴に紫外線を照射する。また、キャリッジ１１８が図１の左方向に移動しながら各色ヘッド１１２のノズル１１４からインクを吐出する場合には、走査の下流側に位置する硬化光源１１６ＲのＵＶ−ＬＥＤによりインク滴に紫外線を照射する。
【００４５】
記録媒体１２０に打滴されたインク滴は、硬化光源１１６Ｒ、１１６Ｌによる１回の紫外線照射では完全には硬化せず、半硬化状態となる。ここで、半硬化状態とは、インクが硬化を開始してから本硬化状態に至るまでの間の硬化状態を指す。半硬化状態のインク滴は、その後記録媒体１２０の搬送方向の下流側に配置された図示しない本硬化光源によってさらに紫外線が照射されて本硬化状態となり、これにより記録媒体１２０の記録面に画像が記録される。なお、本硬化状態とは、記録媒体１２０のハンドリングを行っても画像劣化しない程度にインク滴が硬化している状態を指す。即ち、本硬化とは必ずしも硬化反応が完了していることを意味するものではない。
【００４６】
なお、硬化光源１１６Ｒ、１１６Ｌの照射光量と本硬化光源の照射光量は別個に設定することができる。前述のように、半硬化時の照射光量を低減することで、記録画像の光沢性を増加させることができる。
【００４７】
本実施形態では、キャリッジ走査機構１３０は、生産性の観点から、キャリッジ１１８を０．９ｍ／ｓ以上（例えば１．２ｍ／ｓ）の速度で主走査方向に走査させる。即ち、各色ヘッド１１２は、記録媒体１２０に対して０．９ｍ／ｓ以上の相対速度で移動しながらインク滴を吐出する。さらに、前述のように、各色ヘッド１１２のノズル１１４は、１０ｋＨｚ以上の周波数でインク滴を吐出することが可能である。このように、インクジェット記録装置１００は、高速に画像を形成することが可能に構成されている。
【００４８】
〔インクジェット記録装置による作画方法〕
図４は、インクジェット記録装置１００の作画方法であるインターレース方式（複数パスで所定の領域のインク滴を打滴する方式）を説明するための図である。インクジェット記録装置１００は、制御部１３８において、インクジェットヘッド１１０、硬化光源１１６Ｒ、１１６Ｌ、キャリッジ走査機構１３０、記録媒体搬送機構１３２をそれぞれ制御することで、インターレース方式の作画を行うことができる。ここでは、主走査方向２パス、副走査方向３パスの計６パスで印字が実行される例を用いて説明する。
【００４９】
図４に示す１２２は、記録媒体１２０の記録面のインク滴が打滴されるべき記録位置（画素群）であり、各画素の数字は、その画素にインク滴が打滴されるパス数を示している。
【００５０】
まず、キャリッジ走査機構１３０によりインクジェットヘッド１１０を主走査方向の右方向へ走査する（１パス目）。このとき、各色ヘッド１１２の各ノズル１１４からインクを吐出し、画素群１２２の「１」の位置へ各色のインク滴を着弾させる。即ち、１パス目では、画素群１２２のうち各副走査列の偶数列に打滴する。図３に示したように、各色ヘッド１１２の各ノズル１１４は、６００ｄｐｉずつずらして配置されているため、打滴されたインク滴は１００ｄｐｉの間に６色の独立ドットラインを形成する。
【００５１】
また、この１パス目の走査において、記録媒体１２０の記録面に打滴された各色のインク滴に対し、硬化光源１１６Ｌによって紫外線が照射される。これにより、各色インク滴は半硬化状態となる。
【００５２】
１パス目の主走査が終了すると、記録媒体搬送機構１３２により記録媒体１２０を副走査方向（図４の下方向）に所定量だけ搬送する。なお、図４においては、説明の便宜上インクジェットヘッド１１０を図４の上方向に所定量移動させて図示している。
【００５３】
次に、インクジェットヘッド１１０を主走査方向の左方向へ走査する（２パス目）。このとき、各色ヘッド１１２の各ノズル１１４からインクを吐出し、画素群１２２の「２」の位置へ各色のインク滴を着弾させる。即ち、２パス目では、各副走査列の偶数列であって、１パス目に打滴した画素（画素群１２２の「１」の位置）の主走査列の１画素隣（記録媒体搬送方向上流側の隣）に打滴する。１パス目と同様に、１００ｄｐｉの間に６色の独立ドットラインが形成される。
【００５４】
この２パス目の走査において、記録媒体１２０の記録面に打滴された各色のインク滴に対し、硬化光源１１６Ｒによって紫外線が照射される。これにより、２パス目に打滴された各色インク滴は半硬化状態となる。同時に、１パス目に打滴されたインク滴にも紫外線が照射され、硬化が促進される。
【００５５】
２パス目の主走査が終了すると、記録媒体１２０を副走査方向に所定量だけ搬送する。
【００５６】
さらに、インクジェットヘッド１１０を、主走査方向の右方向へ走査する（３パス目）。このとき、各色ヘッド１１２の各ノズル１１４からインクを吐出し、画素群１２２の「３」の位置へ打滴する。即ち、３パス目では、副走査列の偶数列であって、２パス目に打滴した画素（画素群１２２の「２」の位置）の主走査列の１画素隣（記録媒体搬送方向上流側の隣）に打滴する。ここで打滴されたインク滴も、硬化光源１１６Ｌによって紫外線が照射されて半硬化状態となる。
【００５７】
以下、同様に、副走査と主走査とを繰返し、画素群１２２の「４」、「５」、「６」の位置へ順に打滴する。即ち、各副走査列の奇数列に順に打滴する。
【００５８】
このように、１〜６パスで、第１スワスの全画素にインク滴が打滴される。また、同様に、２〜７パスで第２スワスの全画素にインク滴が打滴され、３〜８パスで第３スワスの全画素にインク滴が打滴される。
【００５９】
ここで、各色ヘッド１１２は、副走査方向に、１１２Ｋ、１１２Ｙ、１１２ＬＭ、１１２Ｃ、１１２ＬＣ、１１２Ｍの順に配置されているため、硬化感度の最も低いＫインクが最初に記録媒体１２０の表面に着弾し、次いで２番目に硬化感度の低いＹインクが着弾する。以下、硬化感度の低い順であるＬＭインク、Ｃインク、ＬＣインク、Ｍインクの順に着弾する。したがって、記録媒体表面からＫインク、Ｙインク、ＬＭインク、Ｃインク、ＬＣインク、Ｍインクの順に上層に向かって配置される。
【００６０】
このように、本実施形態では、硬化感度の低いインクの順にノズルをずらして配置し（図５のステップＳ１）、硬化感度の低いインクほど下層に、高いインクほど上層に配置して（記録媒体搬送方向上流側に配置されたノズルのインクほど下層に配置して）画像を形成する（図５のステップＳ２）。これにより、打滴干渉を低減することができ、かつ表面層の状態を常に一定にすることができるので、光沢むらを低減することができる。
【００６１】
また、ＵＶ硬化インクでは、硬化時に記録媒体内部へ浸透せずに表面に立体的な形状を形成するため、打滴するインク量が多量となる４Ｃ（シアンインク、マゼンタインク、イエローインク、黒インク）からなる黒ベタ画像において、光沢むらが顕著となる。その４種のインクからなる濃度の高い画像部分では、淡インクは殆ど用いられない。
【００６２】
したがって、本実施形態では、各色ヘッド１１２の副走査方向の配置として、濃インクであるＹインク、Ｃインク、Ｍインクのノズルの間に淡インクのノズルを配置している。このように配置することで、柔軟性のあるインクを用いた場合であっても、濃インク同士の打滴干渉を低減することができ、光沢むらを回避することができる。
【００６３】
この副走査方向のノズル順序において、各色ヘッド１１２のノズル１１４の間隔１００ｄｐｉの中に各色ノズル１１４を６００ｄｐｉで配置する。これにより、半硬化用と本硬化用の光源が分離されたインクジェット記録装置において、半硬化光源の照度を低減することで光沢度が高く、且つ光沢むらの目立たない画像が形成可能となる。
【００６４】
このように、各色ヘッド１１２の副走査方向の位置をインクの硬化感度を鑑みて低感度のインクのノズルほど記録媒体搬送方向の上流方向にずらし、かつ濃インクのノズル間に淡インクのノズルを入れることで、高濃度の画像を形成時に濃インクのドット間が開くので、柔軟性のあるインクを用いた場合であっても、半硬化用光源の光量をより低減でき、光沢を増すことと光沢むらの回避を同時に実現することが可能となる。
【００６５】
なお、本実施形態では、淡インクとしてＬＣインクとＬＭインクの２色のインクを用いているが、淡インクは２色に限定されない。Ｋインクと同色系であってＫインクよりも色材濃度が低いライトブラックインク（ＬＫインク）や、Ｙインクと同色系であってＹインクよりも色材濃度が低いライトイエローインク（ＬＹインク）を用いて、１色〜４色の構成とすることも可能である。この場合も、各色ヘッド１１２の副走査方向の配置として、濃インクであるＫインク、Ｙインク、Ｃインク、Ｍインクのノズルの間に淡インクのノズルを配置することで、濃インク同士の打滴干渉を低減することができる。
【００６６】
なお、本実施形態では、図４を用いて説明したように、６パスによるインターレース方式の作画を例に説明したが、パス数や打滴順はこれに限定されるものではない。例えば、図６（ａ）〜（ｃ）に示す打滴順のように、主走査方向２パス、副走査方向５パスの計１０パスで印字を実行することもできるし、その他８パス等によるインターレース方式でもよい。
【００６７】
なお、本実施形態では、各色ヘッド１１２の副走査方向の位置を低感度のインクのノズルほど記録媒体搬送方向の上流方向にずらしたが、最も硬化感度の低いインクのノズルを最上流側に配置し、この最も硬化感度の低いインクを記録媒体に最も近い層に配置すれば、その他のインクの配置順が異なっていても光沢むらの回避に対して一定の効果がある。
【００６８】
例えば、本実施形態のインクセットであれば、記録媒体１２０の搬送方向の最上流側に硬化感度の最も低いインクのノズル１１４Ｋを配置し、Ｋインクが最初に記録媒体１２０の表面に着弾（即ち記録媒体１２０の記録面に最も近い層に着弾）すればよい。その他のノズルについては、下流側に向かって１１４Ｋ、１１４Ｃ、１１４ＬＭ、１１４Ｍ、１１４ＬＣ、１１４Ｙの順や、１１４Ｋ、１１４Ｍ、１１４ＬＣ、１１４Ｙ、１１４ＬＭ、１１４Ｃの順等でもよい。
【００６９】
〔データ処理方法〕
図３に示すように、副走査方向の各色ヘッド１１２（のノズル１１４）の位置がずらして配置されているため、ハーフトーン画像データとしては、ずれた位置のハーフトーンデータがラスター毎に切取られ、各色ヘッド１１２に転送されて、打滴されていく。
【００７０】
ハーフトーン化した画像データは、ＲＩＰソフト上で通常と同様に生成され、画像入力インターフェース１３４を介してインクジェット記録装置１００に入力され、画像処理部１３６へ送られる。画像処理部１３６へは、画像の上端から副走査方向に１ドットずつずらして各色、例えばＬＭ、Ｋ、Ｃ、Ｍ、Ｙ、ＬＣが連続した形式で送られ、蓄積される。
【００７１】
画像処理部１３６では、各色ヘッド１１２のずらし量に応じて、ある基準とする色データから、ずらし量に近い副走査方向にずれた点からの画像データを制御部１３８へ送る。ずらした配置に応じて、基準色のデータから副走査方向にずれた点からのデータを制御部１３８へ転送する。これによって、ＲＩＰソフトでは通常のハーフトーン処理を行いつつ、インクジェット記録装置１００側では、各色ヘッド１１２のずらし位置に応じた出力が行われ、完成画像として各色ヘッド１１２配置のずらしの影響が小さな作画処理が実施される。
【００７２】
本実施形態では、画像入力インターフェース１３４からハーフトーン化された画像データが入力されているが、ＲＧＢ画像等が入力され、画像処理部１３６において印刷用のドットデータに変換するように構成してもよい。
【００７３】
＜他の実施形態＞
〔インクジェット記録装置の全体構成〕
図７は、他の実施形態に係るインクジェット記録装置の外観斜視図である。このインクジェット記録装置１０は、紫外線硬化型インク（ＵＶ硬化インク）を用いて記録媒体１２上にカラー画像を形成するワイドフォーマットプリンタである。ワイドフォーマットプリンタとは、大型ポスターや商業用壁面広告など、広い描画範囲を記録するのに好適な装置である。ここでは、Ａ３ノビ以上に対応するものを「ワイドフォーマット」と呼ぶ。
【００７４】
インクジェット記録装置１０は、装置本体２０と、この装置本体２０を支持する支持脚２２とを備えている。装置本体２０には、記録媒体（メディア）１２に向けてインクを吐出するドロップオンデマンド型のインクジェットヘッド２４と、記録媒体１２を支持するプラテン２６と、ヘッド移動手段としてのガイド機構２８及びキャリッジ３０（走査手段の一例）が設けられている。
【００７５】
ガイド機構２８は、プラテン２６の上方において、記録媒体１２の搬送方向（Ｘ方向）に直交し且つプラテン２６の媒体支持面と平行な走査方向（Ｙ方向）に沿って延在するように配置されている。キャリッジ３０は、ガイド機構２８に沿ってＹ方向に往復移動可能に支持されている。キャリッジ３０には、インクジェットヘッド２４が搭載されるとともに、記録媒体１２上のインクに紫外線を照射する仮硬化光源３２Ａ、３２Ｂと、本硬化光源３４Ａ、３４Ｂとが搭載されている。
【００７６】
仮硬化光源３２Ａ、３２Ｂは、インクジェットヘッド２４から吐出されたインク滴が記録媒体１２に着弾した後に、隣接液滴同士が合一化しない程度にインクを仮硬化（半硬化）させるための紫外線を照射する光源である。本硬化光源３４Ａ、３４Ｂは、仮硬化後に追加露光を行い、最終的にインクを完全に硬化（本硬化）させるための紫外線を照射する光源である。
【００７７】
キャリッジ３０上に配置されたインクジェットヘッド２４、仮硬化光源３２Ａ、３２Ｂ及び本硬化光源３４Ａ、３４Ｂは、ガイド機構２８に沿ってキャリッジ３０と共に一体的に（一緒に）移動する。
【００７８】
記録媒体１２には、紙、不織布、塩化ビニル、合成化学繊維、ポリエチレン、ポリエステル、ターポリンなど、材質を問わず、また、浸透性媒体、非浸透性媒体を問わず、様々な媒体を用いることができる。記録媒体１２は、装置の背面側からロール紙状態（図８参照）で給紙され、印字後は装置正面側の巻き取りローラ（図７中不図示、図８の符号４４）で巻き取られる（移動手段の一例）。プラテン２６上に搬送された記録媒体１２に対して、インクジェットヘッド２４からインク滴が吐出され、記録媒体１２上に付着したインク滴に対して仮硬化光源３２Ａ、３２Ｂ、本硬化光源３４Ａ、３４Ｂから紫外線が照射される。
【００７９】
図７において、装置本体２０の正面に向かって左側の前面に、インクカートリッジ３６の取り付け部３８が設けられている。インクカートリッジ３６は、紫外線硬化型インクを貯留する交換自在なインク供給源（インクタンク）である。インクカートリッジ３６は、本例のインクジェット記録装置１０で使用される各色インクに対応して設けられている。色別の各インクカートリッジ３６は、それぞれ独立に形成された不図示のインク供給経路によってインクジェットヘッド２４に接続される。各色のインク残量が少なくなった場合にインクカートリッジ３６の交換が行われる。
【００８０】
また、図示を省略するが、装置本体２０の正面に向かって右側には、インクジェットヘッド２４のメンテナンス部が設けられている。該メンテナンス部は、非印字時におけるインクジェットヘッド２４を保湿するためのキャップと、インクジェットヘッド２４のノズル面（インク吐出面）を清掃するための払拭部材（ブレード、ウエブ等）が設けられている。インクジェットヘッド２４のノズル面をキャッピングするキャップは、メンテナンスのためにノズルから吐出されたインク滴を受けるためのインク受けが設けられている。
【００８１】
〔記録媒体搬送路の説明〕
図８は、インクジェット記録装置１０における記録媒体搬送路を模式的に示す説明図である。図８に示すように、プラテン２６は逆樋状に形成され、その上面が記録媒体１２の支持面（「媒体支持面」という。）となる。プラテン２６の近傍における記録媒体搬送方向（Ｘ方向）の上流側には、記録媒体１２を間欠搬送するための記録媒体搬送手段である一対のニップローラ４０が配設される。このニップローラ４０は記録媒体１２をプラテン２６上でＸ方向へ移動させる。
【００８２】
ロール・ツー・ロール方式の媒体搬送手段を構成する供給側のロール（「送り出し供給ロール」という。）４２から送り出された記録媒体１２は、印字部の入り口（プラテン２６の記録媒体搬送方向の上流側）に設けられた一対のニップローラ４０によって、Ｘ方向に間欠搬送される。インクジェットヘッド２４の直下の印字部に到達した記録媒体１２は、インクジェットヘッド２４により印字が実行され、印字後に巻き取りローラ４４に巻き取られる。印字部の記録媒体搬送方向の下流側には、記録媒体１２のガイド４６が設けられている。
【００８３】
印字部においてインクジェットヘッド２４と対向する位置にあるプラテン２６の裏面（記録媒体１２を支持する面と反対側の面）には、印字中の記録媒体１２の温度を調整するための温調部５０が設けられている。印字時の記録媒体１２が所定の温度となるように調整されると、記録媒体１２に着弾したインク液滴の粘度や、表面張力等の物性値が所望の値になり、所望のドット径を得ることが可能となる。なお、必要に応じて、温調部５０の上流側にプレ温調部５２を設けてもよいし、温調部５０の下流側にアフター温調部５４を設けてもよい。
【００８４】
〔インクジェットヘッドの説明〕
図９は、キャリッジ３０上に配置されるインクジェットヘッド２４と仮硬化光源３２Ａ、３２Ｂ及び本硬化光源３４Ａ、３４Ｂの配置形態の例を示す平面透視図である。
【００８５】
インクジェットヘッド２４には、ＣＬ（クリアインク）、Ｗ（白インク）、ＬＭ、Ｋ、Ｃ、Ｍ、Ｙ、ＬＣの各色のインク毎に、それぞれインクを吐出するためのノズル列６１ＣＬ、６１Ｗ、６１ＬＭ、６１Ｋ、６１Ｃ、６１Ｍ、６１Ｙ、６１ＬＣ、６１ＣＬ、６１Ｗが設けられている。図９では、ノズル列を点線により図示し、ノズルの個別の図示は省略されている。また、以下の説明では、ノズル列６１ＣＬ、６１Ｗ、６１ＬＭ、６１Ｋ、６１Ｃ、６１Ｍ、６１Ｙ、６１ＬＣ、６１ＣＬ、６１Ｗを総称して、符号６１を付してノズル列を表すことがある。
【００８６】
クリアインクは、その他の濃インク、淡インクによって形成された画像の上から打滴され、記録物の光沢性を調整するために用いられるインクである。また、白インクは、透明な媒体に画像を形成する際に用いられるインクであり、透明媒体に打滴される場合や、その他の濃インク、淡インクによって形成された画像の上から打滴される場合がある。
【００８７】
インク色の種類（色数）や色の組合せについては本実施形態に限定されない。例えばＬＣ、ＬＭのノズル列を省略する形態、ＣＬやＷのノズル列を省略する形態、Ｃ、Ｍ、Ｙ、Ｋの４色のノズル列だけで構成する形態、特別色のインクを吐出するノズル列を追加する形態などが可能である。また、色別のノズル列のＹ方向の配置順序も特に限定はない。
【００８８】
色別のノズル列６１毎にヘッドモジュールを構成し、これらを並べることによって、カラー描画が可能なインクジェットヘッド２４を構成することができる。例えば、ノズル列６１ＣＬ、６１Ｗ、６１ＬＭ、６１Ｋ、６１Ｃ、６１Ｍ、６１Ｙ、６１ＬＣをそれぞれ有する各ヘッドモジュール２４ＣＬ、２４Ｗ、２４ＬＭ、２４Ｋ、２４Ｃ、２４Ｍ、２４Ｙ、２４ＬＣを、キャリッジ３０のＹ方向に沿って並ぶように等間隔に配置する態様も可能である。
【００８９】
色別のヘッドモジュール２４ＣＬ、２４Ｗ、２４ＬＭ、２４Ｋ、２４Ｃ、２４Ｍ、２４Ｙ、２４ＬＣを、それぞれ「インクジェットヘッド」と解釈することも可能である。或いはまた、１つのインクジェットヘッド２４の内部で色別にインク流路を分けて形成し、１ヘッドで複数色のインクを吐出するノズル列を備える構成も可能である。
【００９０】
各ノズル列６１は、複数個のノズルが一定の間隔でＸ方向に沿って１列に（直線的に）並んだものとなっている。本例のインクジェットヘッド２４は、各ノズル列６１を構成するノズルの間隔（ノズルピッチ）が２５４μｍ（１００ｄｐｉ）、１列のノズル列６１を構成するノズルの数は２５６ノズル、ノズル列６１の全長Ｌｗ（「ノズル列の長さ」に相当、「ノズル列幅」という場合がある。）は約６５ｍｍ（２５４μｍ×２５５＝６４．８ｍｍ）である。
【００９１】
また、ノズル列６１ＬＭ、６１Ｋ、６１Ｃ、６１Ｍ、６１Ｙ、６１ＬＣは、各ノズルがＸ方向にそれぞれずらして配置されており、メディア搬送方向上流側から最も硬化感度の低いＫインクを吐出するノズル列６１Ｋ、２番目に硬化感度の低いＹインクを吐出するノズル列６１Ｙ、の順に並んでいる。また、濃インクであるＹインク、Ｃインク、Ｍインクのノズルの間に淡インクであるＬＭインク、ＬＣインクのノズルが配置されている（図３参照）。なお、硬化感度の低い濃インクほどメディア搬送方向上流側に配置してもよい。
【００９２】
また、吐出周波数は１５ｋＨｚであり、駆動波形の変更によって１０ｐｌ、２０ｐｌ、３０ｐｌの３種類の吐出液滴量を打ち分けることができる。即ち、小ドット、中ドット、大ドットの３種類の大きさのドットを形成することができる。
【００９３】
インクジェットヘッド２４のインク吐出方式としては、圧電素子（ピエゾアクチュエータ）の変形によってインク滴を飛ばす方式（ピエゾジェット方式）が採用されている。吐出エネルギー発生素子として、静電アクチュエータを用いる形態（静電アクチュエータ方式）の他、ヒータなどの発熱体（加熱素子）を用いてインクを加熱して気泡を発生させ、その圧力でインク滴を飛ばす形態（サーマルジェット方式）を採用することも可能である。
【００９４】
〔紫外線照射装置の配置について〕
図９に示したように、インクジェットヘッド２４の走査方向（Ｙ方向）の左右両脇に、仮硬化光源３２Ａ、３２Ｂが配置される。さらに、インクジェットヘッド２４の記録媒体搬送方向（Ｘ方向）の下流側に本硬化光源３４Ａ、３４Ｂが配置されている。
【００９５】
インクジェットヘッド２４のノズルから吐出されて記録媒体１２上に着弾したインク滴は、その直後にその上を通過する仮硬化光源３２Ａ（又は３２Ｂ）によって仮硬化のための紫外線が照射される。また、記録媒体１２の間欠搬送に伴ってインクジェットヘッド２４の印字領域を通過した記録媒体１２上のインク滴は、本硬化光源３４Ａ、３４Ｂにより本硬化のための紫外線が照射される。
【００９６】
なお、仮硬化光源３２Ａ、３２Ｂ、本硬化光源３４Ａ、３４Ｂは、インクジェット記録装置１０の印刷動作中は常時点灯していてもよいし、必要に応じて適宜点灯と消灯を制御してもよい。
【００９７】
〔仮硬化光源の構成例について〕
図９に示したように、仮硬化光源３２Ａ、３２Ｂは、それぞれ複数個のＵＶ−ＬＥＤ素子３３が並べられた構造を有している。２つの仮硬化光源３２Ａ、３２Ｂは、共通の構成である。本例では、仮硬化光源３２Ａ、３２Ｂとして、Ｘ方向に沿って６個のＵＶ−ＬＥＤ素子３３が１列に並べたＬＥＤ素子配列を例示したが、ＬＥＤ素子数及びその配列形態はこの例に限定されない。例えば、複数個のＬＥＤ素子をＸ／Ｙ方向にマトリクス状に配置した構成も可能である。
【００９８】
この６個のＵＶ−ＬＥＤ素子３３は、インクジェットヘッド２４のノズル列幅Ｌｗと同じ幅の領域に対して一度にＵＶ照射を行うことができるように並べられている。
【００９９】
〔本硬化光源の構成例について〕
図９に示したように、本硬化光源３４Ａ、３４Ｂは、それぞれ複数個のＵＶ−ＬＥＤ素子３５が並べられた構造を有している。２つの本硬化光源３４Ａ、３４Ｂは、共通の構成である。本例では、本硬化光源３４Ａ、３４Ｂとして、Ｙ方向に６個、Ｘ方向に２個のＵＶ−ＬＥＤ素子３５がマトリクス状に配置されたＬＥＤ素子配列（６×２）を例示して
いる。
【０１００】
ＵＶ−ＬＥＤ素子３５のＸ方向の配置は、後述するスワス幅と関連し、キャリッジ３０の一度の走査において、ノズル列幅Ｌｗのｎ分の１（ｎは正の整数）に対応する幅の領域に対して一度にＵＶ照射を行うことができるように決められる。図９の例では、ノズル列幅Ｌｗの１／２（ｎ＝２）の幅の領域を一度に照射可能にＵＶ−ＬＥＤ素子３５が配置されている。
【０１０１】
なお、本硬化光源のＬＥＤ素子数及びその配列形態は、図９の例に限定されない。また、仮硬化光源３２Ａ、３２Ｂ、本硬化光源３４Ａ、３４Ｂの発光源としては、ＵＶ−ＬＥＤ素子３３、３５に限らず、ＵＶランプなどを用いることも可能である。
【０１０２】
〔作画モードについて〕
上記のごとく構成されたインクジェット記録装置１０は、マルチパス方式の描画制御が適用され、印字パス数の変更によって印字解像度を変更することが可能である。例えば、高生産モード、標準モード、高画質モードの３種類の作画モードが用意され、各モードでそれぞれ印字解像度が異なる。印刷目的や用途に応じて作画モードを選択することができる。
【０１０３】
高生産モードでは、６００ｄｐｉ（主走査方向）×４００ｄｐｉ（副走査方向）の解像度で印字が実行される。高生産モードの場合、主走査方向は２パス（２回の走査）によって６００ｄｐｉの解像度が実現される。まず、１回目の走査（キャリッジ３０の往路）では３００ｄｐｉの解像度でドットが形成される。２回目の走査（復路）では、１回目の走査（往路）で形成されたドットの中間を３００ｄｐｉで補間するようにドットが形成され、主走査方向について６００ｄｐｉの解像度が得られる。
【０１０４】
一方、副走査方向については、ノズルピッチが１００ｄｐｉであり、１回の主走査（１パス）により副走査方向に１００ｄｐｉの解像度でドットが形成される。したがって、４パス印字（４回の走査）により補間印字を行うことで４００ｄｐｉの解像度が実現される。
【０１０５】
なお、本明細書では、主走査方向のパス数と副走査方向のパス数との積を、その作画モードにおけるパス数と呼ぶ。したがって、高生産モードのパス数は、主走査２パス印字×副走査４パス印字＝８パスとなる。
【０１０６】
標準モードでは、６００ｄｐｉ×８００ｄｐｉの解像度で印字が実行される。この解像度は、主走査方向は２パス印字、副走査方向は８パス印字とすることにより得られる。即ち、標準モードのパス数は、主走査２パス印字×副走査８パス印字＝１６パスとなる。
【０１０７】
また、高画質モードでは、１２００×１２００ｄｐｉの解像度で印字が実行され、主走査方向は４パス、副走査方向は１２パスによりこの解像度を得ている。即ち、高画質モードのパス数は、主走査４パス印字×副走査１２パス印字＝４８パスとなる。
【０１０８】
〔インク供給系の説明〕
図１０は、インクジェット記録装置１０のインク供給系の構成を示すブロック図である。同図に示すように、インクカートリッジ３６に収容されているインクは、供給ポンプ７０によって吸引され、サブタンク７２を介してインクジェットヘッド２４に送られる。サブタンク７２には、内部のインクの圧力を調整するための圧力調整部７４が設けられている。
【０１０９】
圧力調整部７４は、バルブ７６を介してサブタンク７２と連通される加減圧用ポンプ７７と、バルブ７６と加減圧用ポンプ７７との間に設けられる圧力計７８と、を具備している。
【０１１０】
通常の印字時は、加減圧用ポンプ７７がサブタンク７２内のインクを吸引する方向に動作し、サブタンク７２の内部圧力及びインクジェットヘッド２４の内部圧力が負圧に維持される。一方、インクジェットヘッド２４のメンテナンス時は、加減圧用ポンプ７７がサブタンク７２内のインクを加圧する方向に動作し、サブタンク７２の内部及びインクジェットヘッド２４の内部が強制的に加圧され、インクジェットヘッド２４内のインクがノズルを介して排出される。インクジェットヘッド２４から強制的に排出されたインクは、上述したキャップ（図示せず）のインク受けに収容される。
【０１１１】
〔インクジェット記録装置の制御系の説明〕
図１１はインクジェット記録装置１０の構成を示すブロック図である。同図に示すように、インクジェット記録装置１０は、制御手段としての制御装置２０２が設けられている。制御装置２０２としては、例えば、中央演算処理装置（ＣＰＵ）を備えたコンピュータ等を用いることができる。制御装置２０２は、図２に示した制御部１３８に該当し、所定のプログラムに従ってインクジェット記録装置１０の全体を制御する制御装置として機能するとともに、各種演算を行う演算装置として機能する。制御装置２０２には、記録媒体搬送制御部２０４、キャリッジ駆動制御部２０６、光源制御部２０８、画像処理部２１０、吐出制御部２１２が含まれる。これらの各部は、ハードウエア回路又はソフトウエア、若しくはこれらの組合せによって実現される。
【０１１２】
記録媒体搬送制御部２０４は、記録媒体１２（図７参照）の搬送を行うための搬送駆動部２１４を制御する。搬送駆動部２１４は、図２に示した搬送機構１３２に該当し、図８に示すニップローラ４０駆動する駆動用モータ、及びその駆動回路が含まれる。プラテン２６（図７参照）上に搬送された記録媒体１２は、インクジェットヘッド２４による主走査方向の往復走査（印刷パスの動き）に合わせて、スワス幅単位で副走査方向へ間欠送りされる。
【０１１３】
図１１に示すキャリッジ駆動制御部２０６は、キャリッジ３０（図７参照）を主走査方向に移動させるための主走査駆動部２１６を制御する。主走査駆動部２１６は、図２に示した走査機構１３０に該当し、キャリッジ３０の移動機構に連結される駆動用モータ、及びその制御回路が含まれる。
【０１１４】
光源制御部２０８は、ＬＥＤ駆動回路２１８を介して仮硬化光源３２Ａ、３２ＢのＵＶ−ＬＥＤ素子３３の発光量を調整するとともに、ＬＥＤ駆動回路２１９を介して本硬化光源３４Ａ、３４ＢのＵＶ−ＬＥＤ素子３５の発光量を調整する制御手段である。
【０１１５】
ＬＥＤ駆動回路２１８は、光源制御部２０８からの指令に応じた電圧値の電圧を出力して、ＵＶ−ＬＥＤ素子３３の発光量を調整する。また、ＬＥＤ駆動回路２１９は、光源制御部２０８からの指令に応じた電圧値の電圧を出力して、ＵＶ−ＬＥＤ素子３５の発光量を調整する。ＬＥＤの発光量の調整は、電圧を変更するのではなく、ＰＷＭ（Pulse Width Modulation）を用いて駆動波形のＤｕｔｙ比を変更することによって行ってもよいし、電圧値とＤｕｔｙ比の両方を変更してもよい。
【０１１６】
制御装置２０２は、操作パネル等の入力装置２２０、表示装置２２２が接続されている。
【０１１７】
入力装置２２０は、手動による外部操作信号を制御装置２０２へ入力する手段であり、例えば、キーボード、マウス、タッチパネル、操作ボタンなど各種形態を採用しうる。表示装置２２２には、液晶ディスプレイ、有機ＥＬディスプレイ、ＣＲＴなど、各種形態を採用し得る。オペレータは、入力装置２２０を操作することにより、作画モードの選択、印刷条件の入力や付属情報の入力・編集などを行うことができ、入力内容や検索結果等の各種情報は、表示装置２２２の表示を通じて確認することができる。
【０１１８】
また、インクジェット記録装置１０には、各種情報を格納しておく情報記憶部２２４と、印刷用の画像データを取り込むための画像入力インターフェース２２６が設けられている。画像入力インターフェースには、シリアルインターフェースを適用してもよいし、パラレルインターフェースを適用してもよい。この部分には、通信を高速化するためのバッファメモリ（不図示）を搭載してもよい。
【０１１９】
画像入力インターフェース２２６を介して入力された画像データは、画像処理部２１０にて印刷用のデータ（ドットデータ）に変換される。このドットデータは、一般に、多階調の画像データに対して色変換処理、ハーフトーン処理を行って生成される。
【０１２０】
ハーフトーン処理の手段としては、誤差拡散法、ディザ法、閾値マトリクス法、濃度パターン法など、各種公知の手段を適用できる。ハーフトーン処理は、一般にＭ値（Ｍ≧３）の階調画像データをＮ値（Ｎ＜Ｍ）の階調画像データに変換する。最も簡単な例では、２値（ドットのオンオフ）のドット画像データに変換するが、ハーフトーン処理において、ドットサイズの種類（例えば、大ドット、中ドット、小ドットなどの３種類）に対応した多値の量子化を行うことも可能である。
【０１２１】
こうして得られた２値又は多値の画像データ（ドットデータ）は、各ノズルの駆動（オン）／非駆動（オフ）、さらに、多値の場合には液滴量（ドットサイズ）を制御するインク吐出データ（打滴制御データ）として利用される。
【０１２２】
吐出制御部２１２は、画像処理部２１０において生成されたドットデータに基づいて、ヘッド駆動回路２２８に対して吐出制御信号を生成する。また、吐出制御部２１２は、不図示の駆動波形生成部を備えている。駆動波形生成部は、インクジェットヘッド２４の各ノズルに対応した吐出エネルギー発生素子（本例では、ピエゾ素子）を駆動するための駆動電圧信号を生成する手段である。
【０１２３】
駆動電圧信号の波形データは、予め情報記憶部２２４に格納されており、必要に応じて使用する波形データが出力される。駆動波形生成部から出力された信号（駆動波形）は、ヘッド駆動回路２２８に供給される。なお、駆動波形生成部から出力される信号はデジタル波形データであってもよいし、アナログ電圧信号であってもよい。
【０１２４】
ヘッド駆動回路２２８を介してインクジェットヘッド２４の各吐出エネルギー発生素子に対して、共通の駆動電圧信号が印加され、各ノズルの吐出タイミングに応じて各エネルギー発生素子の個別電極に接続されたスイッチ素子（不図示）のオンオフを切り換えることで、対応するノズルからインクが吐出される。
【０１２５】
情報記憶部２２４は、制御装置２０２のＣＰＵが実行するプログラム、及び制御に必要な各種データなどが格納されている。情報記憶部２２４は、作画モードに応じた解像度の設定情報、パス数（スキャンの繰り返し数）、仮硬化光源３２Ａ、３２Ｂ及び本硬化光源３４Ａ、３４Ｂの発光量情報などが格納されている。
【０１２６】
エンコーダ２３０は、主走査駆動部２１６の駆動用モータ、及び搬送駆動部２１４の駆動用モータに取り付けられており、該駆動モータの回転量及び回転速度に応じたパルス信号を出力し、該パルス信号は制御装置２０２に送られる。エンコーダ２３０から出力されたパルス信号に基づいて、キャリッジ３０の位置、及び記録媒体１２（図７参照）の位置が把握される。
【０１２７】
センサ２３２は、キャリッジ３０に取り付けられており、センサ２３２から得られたセンサ信号に基づいて記録媒体１２の幅が把握される。
【０１２８】
以上のように構成されたインクジェット記録装置１０によれば、各色インクのヘッドをノズルピッチ内でそれぞれ記録媒体搬送方向にずらし、低感度のインクのヘッドほど記録媒体搬送方向上流側に配置し、低感度のインクほど下層に配置して記録することで、表面層の状態を常に一定にして光沢むらを低減することができる。
【０１２９】
（インク組成物）
次に、本実施形態で使用するインク組成物について説明する。本実施形態で使用できるインク組成物は、（成分Ａ）重合性化合物として、（成分Ａ−１）Ｎ−ビニルラクタム類を３％〜２４％含有する。
【０１３０】
（成分Ａ）重合性化合物
（成分Ａ）プリンターシステムとして選択するヘッド吐出体積（１回吐出あたりのインク滴量）、ノズル密度、シャトルスキャン速度、吐出周波数、記録媒体の搬送ピッチ等から決定される単位面積当たり吐出可能なインク量（インクの厚さ）において、所望の光学濃度が達成できるようインクの顔料種と濃度を決定する。また顔料種に応じた分散剤を適宜加えることでインクを作成する。従って、重合性化合物はインク組成物中において顔料、顔料分散剤、顔料分散助剤、界面活性剤、粘度調整剤、樹脂などを１００％から差し引きした割合であることが好ましい。具体的にはカラーにより異なるが顔料や染料などの色材の添加量はわずかであるため、成分Ａは８０％〜９９．７％の含有率で含有することが好ましい。
【０１３１】
（成分Ａ−１）Ｎ−ビニルラクタム類
本実施形態で使用されるインク組成物は、（成分Ａ−１）Ｎ−ビニルラクタム類を３％〜２４％含有している。インク組成物中にＮ−ビニルラクタム類を３％〜２４％含有させることにより、打滴後のインクの柔軟性を保つことができる。
【０１３２】
Ｎ−ビニルラクタム類としては、式（１）で表わされる化合物を挙げることができる。
【０１３３】
【化１】
2014083804.tif 000003
【０１３４】
式（１）中、ｎは２〜６の整数を表し、インク組成物が硬化した後の柔軟性、記録媒体との密着性、及び、原材料の入手性の観点から、ｎは３〜５の整数であることが好ましく、ｎが３又は５であることがより好ましく、ｎが５である、すなわちＮ−ビニルカプロラクタムであることが特に好ましい。Ｎ−ビニルカプロラクタムは安全性に優れ、汎用的で比較的安価に入手でき、特に良好なインク硬化性、及び硬化膜の記録媒体への良好な密着性が得られるので好ましい。
【０１３５】
また、上記Ｎ−ビニルラクタム類は、ラクタム環上の水素原子がアルキル基、アリール基等の置換基により置換されていてもよく、ラクタム環と飽和又は不飽和環構造とが連結していてもよい。
【０１３６】
式（１）で表される化合物は、１種単独で使用しても、２種以上を併用してもよい。
【０１３７】
Ｎ−ビニルラクタム類の含有率は、インク組成物全体の３％〜２４％であることが好ましく、より好ましくは８％〜１８％であり、さらに好ましくは１０％〜１５％である。Ｎ−ビニルラクタムの含有率が、上記範囲より多いと画像形成後のインクの柔軟性が悪くなり、少ないとインクの硬化性が悪くなるので、好ましくない。
【０１３８】
また、（成分Ａ）重合性化合物として、（成分Ａ−２）ジビニルエーテル化合物、（成分Ａ−３）（メタ）アクリレートモノマーを含有してもよい。以下では、（成分Ａ−２）ジビニルエーテル化合物、（成分Ａ−３）（メタ）アクリレートモノマーの具体例について説明する。
【０１３９】
（成分Ａ−２）ジビニルエーテル化合物
本実施形態で使用されるインク組成物は、（成分Ａ）重合性化合物として、（成分Ａ−２）ジビニルエーテル化合物を含有させることができる。ジビニルエーテル化合物を含有することにより、光沢性のある画像が得られる。硬化性の観点ではビニルエーテルはアクリレート類と比較して硬化性が劣るため高い比率で用いることはできないが、（成分Ａ−２）ジビニルエーテル化合物の含有率としては、インク組成物中に含むのであれば、２０％以下であることが好ましい。
【０１４０】
ジビニルエーテル化合物としては、分子内にビニルエーテル基（ＣＨ２＝ＣＨ−Ｏ−）を２つ有する化合物であれば特に限定されないが、（ポリ）オキシアルキレン骨格を有するジビニルエーテル化合物、アルキレン骨格を有するビニルエーテル化合物、及び、シクロアルカン骨格を有するビニルエーテル化合物が好ましい。
【０１４１】
（ポリ）オキシアルキレン骨格を有するジビニルエーテル化合物としては、例えば、エチレングリコールジビニルエーテル、ポリエチレングリコールジビニルエーテル、プロピレンレングリコールジビニルエーテル、ポリプロピレンレングリコールジビニルエーテル、ブチレングリコールジビニルエーテル、ポリブチレングリコールジビニルエーテル等が挙げられる。
【０１４２】
アルキレン骨格を有するジビニルエーテル化合物としては、例えば、１，６−ヘキサンジオールジビニルエーテル、１，９−ノナンジオールジビニルエーテル、１，１０−デカンジオールジビニルエーテル、ネオペンチルグリコールジビニルエーテル、ヒドロキシピバリン酸ネオペンチルグリコールジビニルエーテル等が挙げられる。
【０１４３】
シクロアルカン骨格を有するジビニルエーテル類は特に限定されず、例えば、１，４−シクロヘキサンジオールジビニルエーテル、１，４−シクロヘキサンジメタノールジビニルエーテル、トリシクロデカンジオールジビニルエーテル、トリシクロデカンジメタノールジビニルエーテル、ペンタシクロペンタデカンジメタノールジビニルエーテル、ペンタシクロペンタデカンジオールジビニルエーテル等が挙げられる。
【０１４４】
これらの中でも、アルキレン骨格を有するジビニルエーテル及び（ポリ）オキシアルキレン骨格を有するジビニルエーテル化合物が好ましく、（ポリ）オキシアルキレン骨格を有するジビニルエーテル化合物がより好ましく、ポリオキシアルキレン骨格を有するジビニルエーテル化合物が更に好ましい。
【０１４５】
オキシアルキレン基としては、炭素数２〜６のオキシアルキレン基が好ましく、炭素数２〜４のオキシアルキレン基がより好ましく、オキシエチレン基及びオキシプロピレン基であることが好ましい。
【０１４６】
ポリオキシアルキレン骨格を有するジビニルエーテル化合物は、オキシアルキレン基の繰り返し数が１〜１０であることが好ましく、２〜８であることが好ましく、２〜６であることが更に好ましい。また、分子量は１００〜１，０００であることが好ましく、１５０〜８００であることがより好ましく、１８０〜６００であることが更に好ましい。
【０１４７】
（成分Ａ−３）（メタ）アクリレートモノマー
本実施形態で使用されるインク組成物は、硬化性の観点から（成分Ａ−３）（メタ）アクリレートモノマーを含有することが好ましい。
【０１４８】
（メタ）アクリレートモノマーは、分子量が１，０００以下の低分子であることが好ましく、分子量２００〜７５０であることが好ましい。
【０１４９】
（メタ）アクリレートモノマーは、メタクリレートモノマー及び／又はアクリレートモノマーを意味し、アクリレートモノマーであることがより好ましい。
【０１５０】
成分Ａ−３は、（成分Ａ−３−１）多官能（メタ）アクリレートモノマー及び（成分Ａ−３−２）単官能（メタ）アクリレートモノマーのいずれでもよく、特に限定されない。
【０１５１】
（成分Ａ−３−１）多官能（メタ）アクリレートモノマー
本実施形態で使用するインク組成物は、（成分Ａ−３−１）多官能（メタ）アクリレートモノマーを含有させることができる。（成分Ａ−３−１）多官能（メタ）アクリレートモノマーの含有率としては、インク組成物中に含むのであれば、２０％以下であることが好ましい。
【０１５２】
本発明に用いることができる多官能（メタ）アクリレートモノマーは、アクリルオキシ基及びメタクリルオキシ基よりなる群から選択される基を２つ以上有する多官能モノマーである。多官能（メタ）アクリレートモノマーを含有することで、硬化性に優れ、高い硬化膜強度を有するインク組成物が得られる。
【０１５３】
成分Ａ−３−１の具体例としては、ビス（４−アクリロキシポリエトキシフェニル）プロパン、ネオペンチルグリコールジ（メタ）アクリレート、エトキシ化（２）ネオペンチルグリコールジ（メタ）アクリレート（ネオペンチルグリコールエチレンオキサイド２モル付加物をジアクリレート化した化合物）、プロポキシ化（２）ネオペンチルグリコールジ（メタ）アクリレート（ネオペンチルグリコールプロピレンオキサイド２モル付加物をジアクリレート化した化合物）、１，６−ヘキサンジオールジ（メタ）アクリレート、１，９−ノナンジオールジ（メタ）アクリレート、エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、ジプロピレングリコールジ（メタ）アクリレート、トリプロピレングリコールジ（メタ）アクリレート、テトラプロピレングリコールジ（メタ）アクリレート、ポリプロピレングリコールジ（メタ）アクリレート、ペンタエリスリトールトリ（メタ）アクリレート、ペンタエリスリトールテトラ（メタ）アクリレート、ジペンタエリスリトールテトラ（メタ）アクリレート、トリメチロールプロパントリ（メタ）アクリレート、テトラメチロールメタンテトラ（メタ）アクリレート、テトラメチロールメタントリ（メタ）アクリレート、ジメチロールトリシクロデカンジ（メタ）アクリレート、変性グリセリントリ（メタ）アクリレート、変性ビスフェノールＡジ（メタ）アクリレート、ビスフェノールＡのプロピレンオキシド（ＰＯ）付加物ジ（メタ）アクリレート、ビスフェノールＡのエチレンオキシド（ＥＯ）付加物ジ（メタ）アクリレート、ジペンタエリスリトールヘキサ（メタ）アクリレート、カプロラクトン変性ジペンタエリスリトールヘキサ（メタ）アクリレート等が挙げられる。
【０１５４】
成分Ａ−３−１としてアルキレンオキシド基を有するポリ（メタ）アクリレートを含有することも好ましい。ここで、「ポリ（メタ）アクリレート」とは、分子内に（メタ）アクリル酸エステル残基を２以上有することを意味し、２〜４個の残基を有することが好ましく、２個の（メタ）アクリル酸エステル残基を有することがより好ましい。また、アルキレンオキシドとしては、エチレンオキシド及び／又はプロピレンオキシドが好ましい。アルキレンオキシド基の付加モル数は、１〜１０であることが好ましく、１〜６であることがより好ましい。この多官能モノマーは、グリコール類にアルキレンオキシドを付加して、（メタ）アクリル酸のポリエステルとすることにより得られる。
【０１５５】
アルキレンオキシド基を有する（メタ）アクリレートの具体例には、ビスフェノールＡのＰＯ付加物ジ（メタ）アクリレート、ビスフェノールＡのＥＯ付加物ジ（メタ）アクリレート、プロポキシ化ネオペンチルグリコールジ（メタ）アクリレートが含まれる。
【０１５６】
成分Ａ−３−１は、１種を単独で使用してもよく、２種以上を適宜組み合わせて使用し
てもよい。
【０１５７】
（成分Ａ−３−２）単官能（メタ）アクリレートモノマー
また、（成分Ａ−３）（メタ）アクリレートモノマーとして、（成分Ａ−３−２）単官能（メタ）アクリレートモノマーを含有させることができる。（成分Ａ−３−２）単官能（メタ）アクリレートモノマーの含有率としては、インク組成物中に含むのであれば、１０％〜９０％の範囲であることが好ましい。単官能（メタ）アクリレートモノマーとしては、特開２００９−２２１４１４号公報に記載のラジカル重合性モノマー、特開２００９−２０９２８９号公報に記載の重合性化合物、特開２００９−１９１１８３号公報に記載のエチレン性不飽和化合物が挙げられる。
【０１５８】
単官能（メタ）アクリレート化合物の例として、テトラヒドロフルフリル（メタ）アクリレート、ノルボルニル（メタ）アクリレート、イソボロニル（メタ）アクリレート、シクロヘキシル（メタ）アクリレート、シクロペンチル（メタ）アクリレート、シクロヘプチル（メタ）アクリレート、シクロオクチル（メタ）アクリレート、シクロデシル（メタ）アクリレート、ジシクロデシル（メタ）アクリレート、３，３，５−トリメチルシクロヘキシル（メタ）アクリレート、４−ｔ−ブチルシクロヘキシル（メタ）アクリレート、アクリロイルモルフォリン、Ｎ−フタルイミドエチル（メタ）アクリレート、ペンタメチルピペリジル（メタ）アクリレート、テトラメチルピペリジル（メタ）アクリレート、５−（メタ）アクリロイルオキシメチル−５−エチル−１，３−ジオキサシクロヘキサン、２−エチルヘキシル（メタ）アクリレート、２−ヒドロキシエチル（メタ）アクリレート、２−ブトキシエチル（メタ）アクリレート、カルビトール（メタ）アクリレート、メチル（メタ）アクリレート、ｎ−ブチル（メタ）アクリレート、２−（２−エトキシエトキシ）エチル（メタ）アクリレート、２−（２−ブトキシエトキシ）エチル（メタ）アクリレート、ジメチルアミノメチル（メタ）アクリレート等が挙げられる。
【０１５９】
中でも、イソボロニル（メタ）アクリレートが好ましく、イソボロニルアクリレートが特に好ましい。
【０１６０】
単官能（メタ）アクリレートモノマーとしては、式（２）で表されるフェニル基を有する化合物も使用することができる。
【０１６１】
【化２】
2014083804.tif 000004
【０１６２】
（式（２）中、Ｒ１は水素原子又はメチル基を表し、Ｘは単結合又は二価の連結基を表す。）
式（２）におけるＲ１は、水素原子又はメチル基を表し、硬化速度の点で、水素原子が好ましい。
【０１６３】
式（２）におけるＸとしては、アルキレン基、又は、１以上のアルキレン基とエーテル結合、エステル結合、ウレタン結合及びウレア結合よりなる群から選ばれた１以上の結合とを組み合わせた基が好ましく例示でき、アルキレン基、アルキレンオキシ基、又はポリアルキレンオキシ基がより好ましく例示できる。
【０１６４】
前記アルキレン基、アルキレンオキシ基、又はポリアルキレンオキシ基は、炭素数２〜１０であることが好ましく、炭素数２〜４であることがより好ましく、炭素数２であることが特に好ましい。また、前記アルキレン基、アルキレンオキシ基、又はポリアルキレンオキシ基は、置換基を有していてもよく、置換基としては、アルキル基、アリール基、ハロゲン原子、ヒドロキシ基等が例示できる。
【０１６５】
これらの中でも、式（２）で表される化合物としては、フェノキシエチル（メタ）アクリレートが好ましく、フェノキシエチルアクリレートが特に好ましい。
【０１６６】
単官能モノマーとしては、（２）で表される化合物以外の芳香族基を有する単官能（メタ）アクリレート化合物を含んでもよい。芳香族基を有する単官能（メタ）アクリレート化合物の芳香族基の環状構造には、Ｏ、Ｎ、Ｓ等のヘテロ原子を含んでいてもよい。
【０１６７】
前記式（２）で表される化合物以外の芳香族基を有する単官能（メタ）アクリレート化合物としては、１−ナフチル（メタ）アクリレート、２−ナフチル（メタ）アクリレート、２−α−ナフチルオキシエチル（メタ）アクリレート、２−β−ナフチルオキシエチル（メタ）アクリレート、２−アントリル（メタ）アクリレート、９−アントリル（メタ）アクリレート、１−フェナントリル（メタ）アクリレート、２−フェナントリル（メタ）アクリレート、エチレンオキサイド変性クレゾール（メタ）アクリレート（以下、「エチレンオキサイド」を「ＥＯ」ともいう。）、ｐ−ノニルフェノキシエチル（メタ）アクリレート、ｐ−ノニルフェノキシポリエチレングリコール（メタ）アクリレート、ｐ−クミルフェノキシエチレングリコール（メタ）アクリレート、２−フリル（メタ）アクリレート、２−フルフリル（メタ）アクリレート、２−チエニル（メタ）アクリレート、２−テニル（メタ）アクリレート、１−ピロリル（メタ）アクリレート、２−ピリジル（メタ）アクリレート、２−キノリル（メタ）アクリレート、Ｎ−（１，１−ジメチル−２−フェニル）エチル（メタ）アクリルアミド、Ｎ−ジフェニルメチル（メタ）アクリルアミド、Ｎ−フタルイミドメチル（メタ）アクリルアミド、Ｎ−（１，１’−ジメチル−３−（１，２，４−トリアゾール−１−イル））プロピル（メタ）アクリルアミド等を例示できる。
【０１６８】
また、単官能（メタ）アクリレートモノマーとしては、下記式（３）で表される化合物も好ましく使用される。
【０１６９】
【化３】
2014083804.tif 000005
【０１７０】
（式（３）中、Ｒ１は水素原子又はメチル基を表し、Ｘは単結合又は二価の連結基を表す。）
前記式（３）で表される化合物は、アクリレート化合物であっても、メタクリレート化合物であってもよいが、アクリレート化合物、すなわち、Ｒ1が水素原子であることが好ましい。
【０１７１】
前記式（３）のＸにおける二価の連結基としては、本発明の効果を大きく損なうものでない限り特に制限はないが、二価の炭化水素基、又は、炭化水素基と、エステル結合、ウレタン結合、ウレア結合、エーテル結合及びアミド結合よりなる群から選ばれた少なくとも１つの結合とを組み合わせた二価の連結基であることがより好ましい。
【０１７２】
Ｘは、二価の炭化水素基であることが好ましい。二価の炭化水素基としては、炭素数１〜２０の二価の炭化水素基がより好ましく、炭素数１〜５の二価の炭化水素基が更に好ましく、炭化水素基の中でもアルキレン基が好ましく、炭素数１すなわちメチレン基が特に好ましい。
【０１７３】
また、Ｘが、炭化水素基と、エステル結合、ウレタン結合、ウレア結合、エーテル結合及びアミド結合よりなる群から選ばれた少なくとも１つの結合とを組み合わせた二価の連結基である場合、炭化水素基としては炭素数１〜５のアルキレン基が好ましい。１つ以上のアルキレン基と、エステル結合（−ＣＯＯ−又は−ＯＣＯ−）、ウレタン結合（−ＮＲＣＯＯ−又は−ＯＣＯＮＲ−（Ｒは、水素原子又はアルキル基を表す。））、ウレア結合（−ＮＲＣＯＮＲ’−（Ｒ、Ｒ’は、水素原子又はアルキル基を表す。））、エーテル結合（−Ｏ−）及びアミド結合（−ＮＲＣＯ−又は−ＣＯＮＲ−（Ｒは、水素原子又はアルキル基を表す。））よりなる群から選ばれた少なくとも１つの結合とを組み合わせた二価の連結基が好ましい。これらの中でも、１つ以上のアルキレン基と１つ以上のエーテル結合とを組み合わせた二価の連結基がより好ましい。
【０１７４】
アルキレン基とエーテル結合とを組み合わせた二価の連結基としては、＊−（アルキレン基）−Ｏ−＊＊又は＊−（アルキレン基）−Ｏ−（アルキレン基）−＊＊が好ましい（＊はＸと（メタ）アクリルオキシ基の−Ｏ−との結合部、＊＊はＸと４級炭素原子との結合部を示す。）。
【０１７５】
上記のアルキレン基とエーテル結合とを組み合わせた二価の連結基としては、−（アルキレン基）−Ｏ−部分を複数個有する、ポリ（アルキレンオキシ）基、又は、ポリ（アルキレンオキシ）アルキル基であることが好ましく、この場合の連結基の総炭素数は、１〜６０であることが好ましく、１〜２０であることがより好ましい。
【０１７６】
式（３）で表される化合物の具体例としては、以下に示す化合物（３−１）〜（３−４）を好ましく例示できるが、これらに限定されるものではない。
【０１７７】
【化４】
2014083804.tif 000006
【０１７８】
これらの中でも、サイクリックトリメチロールプロパンフォーマルアクリレート（Ｃｙｃｌｉｃ  ｔｒｉｍｅｔｈｙｌｏｌｐｒｏｐａｎｅ  ｆｏｒｍａｌ  ａｃｒｙｌａｔｅ、（３−１）及びサイクリックトリメチロールプロパンフォーマルメタクリレート（３−２）がより好ましく、サイクリックトリメチロールプロパンフォーマルアクリレート（３−１）が特に好ましい。
【０１７９】
成分Ａ−３は、１種を単独で使用してもよく、２種以上を適宜組み合わせて使用してもよい。
【０１８０】
（成分Ａ−４）その他の重合性化合物
本実施形態のインク組成物は、前記成分Ａ−１、成分Ａ−２および成分Ａ−３の他に、（成分Ａ−４）その他の重合性化合物を含有してもよく、成分Ａ−４として、（成分Ａ−４−１）ラジカル重合性オリゴマーが例示される。
【０１８１】
（成分Ａ−４−１）ラジカル重合性オリゴマー
本実施形態のインク組成物は、（成分Ａ）重合性化合物として、（成分Ａ−４−１）ラジカル重合性オリゴマーを含有してもよい。ここで、オリゴマーとは、分子量が１，０００を超えるラジカル重合性化合物であり、エチレン性不飽和基を複数含有することが好ましく、２〜４個含有する、多官能オリゴマーであることが好ましい。ラジカル重合性オリゴマーは、有限個（一般的には５〜１００個）の構成単位を有する付加重合体の分子末端又は分子側鎖にエチレン性不飽和基を有することが好ましく、重量平均分子量が１，０００を超え１０，０００以下であることが好ましく、１，０００を超え５，０００以下であることがより好ましい。
【０１８２】
前記のラジカル重合性オリゴマーは、複数の（メタ）アクリロキシ基を有することが好
ましい。
【０１８３】
ラジカル重合性オリゴマーとしては、いかなる単量体をその構成単位とするものでもよく、例えば、オレフィン系（エチレンオリゴマー、プロピレンオリゴマーブテンオリゴマー等）、ビニル系（スチレンオリゴマー、ビニルアルコールオリゴマー、ビニルピロリドンオリゴマーアクリレートオリゴマー、メタクリレートオリゴマー等）、ジエン系（ブタジエンオリゴマー、クロロプレンゴム、ペンタジエンオリゴマー等）、開環重合系（ジ−，トリ−，テトラエチレングリコール、ポリエチレングリコール、ポリエチルイミン等）、重付加系（オリゴエステルアクリレート、ポリアミドオリゴマー、ポリイソシアネートオリゴマー）、付加縮合オリゴマー（フェノール樹脂、アミノ樹脂、キシレン樹脂、ケトン樹脂等）等を挙げることができる。この中で、オリゴエステル（メタ）アクリレートが好ましく、その中では、ウレタン（メタ）アクリレート、ポリエステル（メタ）アクリレート、エポキシ（メタ）アクリレートがより好ましく、ウレタン（メタ）アクリレートがさらに好ましい。
【０１８４】
ウレタン（メタ）アクリレートとしては、脂肪族ウレタン（メタ）アクリレート、芳香族ウレタン（メタ）アクリレートが好ましく挙げられるが、脂肪族ウレタン（メタ）アクリレートがより好ましく挙げられる。
【０１８５】
また、ウレタン（メタ）アクリレートは、２〜４官能のウレタン（メタ）アクリレートであることが好ましく、２官能のウレタン（メタ）アクリレートであることがより好ましい。
【０１８６】
ウレタン（メタ）アクリレートを含有することにより、記録媒体への密着性に優れ、硬化性に優れるインク組成物が得られる。
【０１８７】
ラジカル重合性オリゴマーの含有率は、インク組成物中、１０質量％未満であることが好ましく、５質量％以下であることが好ましく、０〜５質量％であることが特に好ましい。
【０１８８】
（成分Ｂ）重合開始剤
本実施形態のインク組成物は、（成分Ｂ）重合開始剤を含有することが好ましく、成分Ｂとして（成分Ｂ−１）アシルホスフィン系重合開始剤（以下、「アシルホスフィン化合物」ともいう。）を含有することが好ましい。また、（成分Ｂ−２）その他の重合開始剤を含有してもよい。
【０１８９】
（成分Ｂ−１）アシルホスフィン系重合開始剤
本実施形態のインク組成物は、重合開始剤として、（成分Ｂ−１）アシルホスフィン系重合開始剤（アシルホスフィン化合物）を含有することが好ましい。成分Ｂ−１を含有することにより硬化性に優れるので好ましい。
【０１９０】
（成分Ｂ−１）アシルホスフィン系重合開始剤としては、特に制限はなく、公知のものを用いることができるが、特開２００９−９６９８５号公報の段落００８０〜００９８に記載のアシルホスフィンオキサイド化合物が好ましく挙げられ、例えば、モノアシルホスフィンオキサイド化合物として、２，４，６−トリメチルベンゾイルジフェニルホスフィンオキサイド（ＤＡＲＯＣＵＲＴＰＯ：ＢＡＳＦジャパン（株）製、ＬＵＣＩＲＩＮ ＴＰＯ：ＢＡＳＦ社製）が好ましい。また、ビスアシルホスフィンオキサイド化合物としては、ビス（２，４，６−トリメチルベンゾイル）フェニルホスフィンオキサイド（ＩＲＧＡＣＵＲＥ ８１９、ＢＡＳＦジャパン製）が好ましい。
【０１９１】
（成分Ｂ−２）その他の重合開始剤
その他の重合開始剤としては、例えば、α−アミノアルキルフェノン化合物、芳香族ケトン類、芳香族オニウム塩化合物、有機過酸化物、チオ化合物、ヘキサアリールビイミダゾール化合物、ケトオキシムエステル化合物、ボレート化合物、アジニウム化合物、メタロセン化合物、活性エステル化合物、及び、炭素ハロゲン結合を有する化合物等が挙げられる。
【０１９２】
前記他の重合開始剤としては、成分Ｂ−１以外の公知の重合開始剤、好ましくはラジカル重合開始剤を用いることができ、例えば、特開２００９−１８５１８６号公報の段落００９０〜０１１６に記載されているものが挙げられる。また、その他の重合開始剤として、チオキサントン化合物やチオクロマノン化合物を使用してもよく、特開２０１０−１２６６４４号公報の段落００６４〜００６８に記載されている化合物が例示できる。
【０１９３】
なお、本実施形態における重合開始剤は、活性放射線等の外部エネルギーを吸収して重合開始種を生成する化合物だけでなく、特定の活性エネルギー線を吸収して重合開始剤の分解を促進させる化合物（いわゆる、増感剤）も含まれる。
【０１９４】
本実施形態のインク組成物は、成分Ｂ−１以外の他の重合開始剤として、公知の増感剤を用いることもできる。増感剤としては、例えば、多核芳香族類（例えば、ピレン、ペリレン、トリフェニレン、２−エチル−９，１０−ジメトキシアントラセン等）、キサンテン類（例えば、フルオレッセイン、エオシン、エリスロシン、ローダミンＢ、ローズベンガル等）、シアニン類（例えば、チアカルボシアニン、オキサカルボシアニン等）、メロシアニン類（例えば、メロシアニン、カルボメロシアニン等）、チアジン類（例えば、チオニン、メチレンブルー、トルイジンブルー等）、アクリジン類（例えば、アクリジンオレンジ、クロロフラビン、アクリフラビン等）、アントラキノン類（例えば、アントラキノン等）、スクアリウム類（例えば、スクアリウム等）、クマリン類（例えば、７−ジエチルアミノ−４−メチルクマリン等）等が挙げられる。また、増感剤は、１種単独で用いてもよいし、２種以上を併用してもよい。
【０１９５】
本実施形態のインク組成物中における成分Ｂ−１を含む重合開始剤の含有率は、硬化性及び硬化膜の色相の観点から、インク組成物の全質量に対し、１．５〜３０質量％であることが好ましく、２〜２６質量％であることがより好ましく、５〜２２質量％であることが更に好ましく、１０〜１８質量％であることが特に好ましい。
【０１９６】
（成分Ｃ）表面張力調整剤
本実施形態のインク組成物は、（成分Ｃ）表面張力調整剤を含有することができる。ここで、表面張力調整剤とは、インク組成物の表面張力を低下させる機能を有する化合物であれば特に限定されないが、（成分Ｃ）表面張力調整剤として、（成分Ｃ−１）分子内にエチレン性不飽和二重結合を有するシリコーン化合物を含有することが好ましい。
【０１９７】
（成分Ｃ−１）分子内にエチレン性不飽和二重結合を有するシリコーン化合物
本実施形態のインク組成物は、成分Ｃとして（成分Ｃ−１）分子内にエチレン性不飽和二重結合を有するシリコーン化合物（以下、「重合性シリコーン化合物」ともいう。）を含有することが好ましい。なお、重合性シリコーン化合物は、エチレン性不飽和二重結合及びシリコーン鎖を有する化合物である。
【０１９８】
エチレン性不飽和二重結合を有する基としては、アクリルオキシ基、メタクリルオキシ基、ビニル基、Ｎ−ビニル基、アクリルアミド基、アリル基等が挙げられる。これらの中でも、アクリルオキシ基、メタクリルオキシ基、ビニル基、アリル基がより好ましく、メタクリルオキシ基、アリル基がさらに好ましい。上記エチレン性不飽和二重結合を有する基を有する化合物を用いると、耐ブロッキング性、硬化膜の伸長性に優れるインク組成物が得られる。
【０１９９】
重合性シリコーン化合物が有するエチレン性不飽和二重結合は、１種のみ有していてもよく、異なる２種以上を組み合わせてもよい。
【０２００】
また、エチレン性不飽和二重結合を、分子内に２以上有することが好ましく、４以上がより好ましく、６以上がさらに好ましく、１０以上が特に好ましい。官能基数が多いことにより、膜最表面の硬度が高くなり、良好な表面硬化性、耐ブロッキング性が得られる。
【０２０１】
本実施形態において、重合性シリコーン化合物として、下記市販材料を用いることができる。
【０２０２】
ＥＶＥＲＣＲＹＬ  ３５０、エバークリル４８４２（以上、ユー・シー・ビー・ケミカルズ社製）、ＰＥＲＥＮＯＬ  Ｓ−５（以上、コグニス社製）、ＲＣ１４９、ＲＣ３００、ＲＣ４５０、ＲＣ７０９、ＲＣ７１０、ＲＣ７１１、ＲＣ７２０、ＲＣ８０２（以上、ゴールドシュミット・ケミカル・コーポレーション社製）、ＦＭ０７１１、ＦＭ０７２１、ＦＭ０７２５、ＰＳ５８３（以上、チッソ（株）製）、ＫＰ−６００、Ｘ−２２−１６４、Ｘ−２２−１６４ＡＳ、Ｘ−２２−１６４Ａ、Ｘ−２２−１６４Ｂ、Ｘ−２２−１６４Ｃ、Ｘ−２２−１６４Ｅ（以上、信越化学工業（株）製）、ＢＹＫ  ＵＶ３５００、ＢＹＫ  ＵＶ３５７０、ＢＹＫ  Ｓｉｌｃｌｅａｎ３７００（以上、ＢＹＫ  Ｃｈｅｍｉｅ社製）、Ｔｅｇｏｒａｄ２１００、Ｔｅｇｏｒａｄ２２００Ｎ、Ｔｅｇｏｒａｄ２２５０Ｎ、Ｔｅｇｏｒａｄ２３００、Ｔｅｇｏｒａｄ２５００、Ｔｅｇｏｒａｄ２６００、Ｔｅｇｏｒａｄ２７００（以上、デグサ社製）、ＤＭＳ−Ｖ００、ＤＭＳ−Ｖ０３、ＤＭＳ−Ｖ０５、ＤＭＳ−Ｖ２１、ＤＭＳ−Ｖ２２、ＤＭＳ−Ｖ２５、ＤＭＳ−Ｖ２５Ｒ、ＤＭＳ−Ｖ３１、ＤＭＳ−Ｖ３３、ＤＭＳ−Ｖ３５、ＤＭＳ−Ｖ４１、ＤＭＳ−Ｖ４２、ＤＭＳ−Ｖ４６、ＤＭＳ−Ｖ５２、ＤＭＳ−Ｖ２５Ｒ、ＤＭＳ−Ｖ３５Ｒ、ＰＤＶ−０３２５、ＰＤＶ０３３１、ＰＤＶ０３４１、ＰＤＶ０３４６、ＰＤＶ０５２５、ＰＤＶ０５４１、ＰＤＶ１６２５、ＰＤＶ１６２５、ＰＤＶ１６３１、ＰＤＶ１６３５、ＰＤＶ１６４１、ＰＤＶ２３３１、ＰＤＶ２３３５、ＰＭＶ−９９２５、ＰＶＶ−３５２２、ＦＭＶ−４０３１、ＥＤＶ−２０２５、ＶＤＴ−１２３、ＶＤＴ−１２７、ＶＤＴ−１３１、ＶＤＴ−１５３、ＶＤＴ−４３１、ＶＤＴ−７３１、ＶＤＴ−９５４、ＶＤＳ−２５１３、ＶＤＶ−０１３１、ＶＧＭ−０２１、ＶＧＰ−０６１、ＶＧＦ−９９１、ＶＱＭ−１３５、ＶＱＭ−１４６、ＶＱＸ−２２１、ＶＭＳ−００５、ＶＭＳ−Ｔ１１、ＶＴＴ−１０６、ＭＴＶ−１２４、ＶＡＴ−４３２６、ＶＢＴ−１３２３、ＶＰＴ−１３２３、ＶＭＭ−０１０、ＶＥＥ−００５、ＶＰＥ−００５（以上、Ｇｅｌｅｓｔ社製）。
【０２０３】
本実施形態において、重合性シリコーン化合物がインク組成物中に占める割合は、インク組成物の全量に対し、０．０１質量％以上１０．０質量％以下が好ましく、０．０５質量％以上５．０質量％以下がより好ましく、０．１質量％以上３．０質量％以下がさらに好ましい。
【０２０４】
なお、重合性シリコーン化合物は、（成分Ａ）重合性化合物にも該当する。従って、（成分Ａ）の好ましい合計量等には、重合性シリコーン化合物が含まれる。
【０２０５】
（成分Ｃ−２）界面活性剤
本実施形態のインク組成物は、長時間安定した吐出性を付与するため、（成分Ｃ）表面張力調整剤として、（成分Ｃ−２）界面活性剤を含有してもよい。
【０２０６】
界面活性剤としては、シリコーン系界面活性剤（但し、分子内にエチレン性不飽和二重結合を含有するシリコーン化合物を除く。）、フッ素系界面活性剤、その他の界面活性剤が例示される。
【０２０７】
なお、シリコーン系界面活性剤及びフッ素系界面活性剤以外の界面活性剤としては、特開昭６２−１７３４６３号、同６２−１８３４５７号の各公報に記載されたものが挙げられる。例えば、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤、アルキルアミン塩類、第四級アンモニウム塩類等のカチオン性界面活性剤が挙げられる。
【０２０８】
（成分Ｄ）重合禁止剤
本実施形態のインク組成物は、（成分Ｄ）重合禁止剤として、（成分Ｄ−１）オキシルフリーラジカル系重合禁止剤、（成分Ｄ−２）フェノール系重合禁止剤、及び（成分Ｄ−３）アミン系重合禁止剤、（成分Ｄ−４）その他の重合禁止剤を含有させることができる。
【０２０９】
（成分Ｄ−１）オキシルフリーラジカル系重合禁止剤
オキシルフリーラジカル系重合禁止剤は、分子内にオキシルフリーラジカル（−Ｏ●）を有し、重合禁止作用を有するものであれば特に限定されないが、オキシルフリーラジカルとしては、アゾオキシルフリーラジカル（＞Ｎ−Ｏ●）であることが好ましい。成分Ｄ−１は、以下の式（４−１）で表される化合物であることが好ましい。
【０２１０】
【化５】
2014083804.tif 000007
【０２１１】
式（４−１）中、Ｗは炭素数４又は５の環状アルキレン鎖を示し、該環状アルキレン鎖は置換基を有してもよい。
【０２１２】
式（４−１）で表される化合物は、式（４−２）で表される化合物であることが好ましい。
【０２１３】
【化６】
2014083804.tif 000008
【０２１４】
式（４−２）中、Ｒ１１〜Ｒ１６は、それぞれ独立に水素原子、ハロゲン原子、又は１価の有機基を表すか、或いは、Ｒ１１及びＲ１２、Ｒ１３及びＲ１４、Ｒ１５及びＲ１６はこれらが結合する炭素と共に１個のカルボニル基を形成してもよい。
【０２１５】
（成分Ｄ−２）フェノール系重合禁止剤
本実施形態において、フェノール系重合禁止剤とはフェノール基を有する化合物を指し、この他に何ら限定されるものではない。フェノール系重合禁止剤としては公知のものを用いることができ、限定されるものではないが、式（５）に示す化合物であることが好ましい。
【０２１６】
【化７】
2014083804.tif 000009
【０２１７】
式（５）において、ｍは１〜５の整数を表し、ｎは１〜４の整数を表し、ｎ個のＲ２１は互いに独立に水素原子、ハロゲン原子（フッ素原子、塩素原子、臭素原子、ヨウ素原子）、シアノ基、ヒドロキシ基、炭素数１〜２０の分岐を有していてもよいアルキル基、炭素数３〜８のシクロアルキル基、炭素数６〜１２のアリール基、炭素数１〜５のアルケニル基、又は、炭素数１〜５のアルキニル基を表し、これらの基は式（５）に示すベンゼン環と連結基を介して結合していてもよく、前記連結基としては、カルボニル基、カルボニルオキシ基（−ＣＯＯ−）、オキシカルボニル基（−ＯＣＯ−）、チオ基、スルホニル基、スルフィニル基、オキシ基、アミノ基（−ＮＨ−）、アミド基、炭素数１〜６のアルキレン基、炭素数６〜１２のアリーレン基、ホスホン酸エステル基、リン酸エステル基、トリアジン及びジオキサン等の複素環から２個以上の水素原子を除いた３〜８員環の多価の複素環基、アルキルアミノ基並びにこれらの連結基の組合せから選択される多価の連結基が挙げられる。さらに、２つ以上のＲ２１で表される基が互いに結合して環構造を形成していてもよい。
【０２１８】
Ｒ２１で表される基は導入可能な炭素原子に置換基を有していてもよい。導入することができる置換基としては、炭素数１〜６のアルキル基、ヒドロキシ基、シアノ基、ハロゲン原子（フッ素原子、塩素原子、臭素原子、ヨウ素原子）、アミノ基、アルキルアミノ基、アルコキシ基及び（メタ）アクリロイル基等が例示できる。
【０２１９】
Ｘ２１はｍが２以上である場合にｍ価の連結基を表し、具体的には単結合、カルボニル基、カルボニルオキシ基、チオ基、スルホニル基、スルフィニル基、オキシ基、ホスホン酸エステル基、炭素数１〜６のアルキレン基、炭素数６〜１２のアリーレン基、アミノ基、水素原子をｍ個除いた炭素数１〜６の脂肪族炭化水素基、水素原子をｍ個除いたｍ価の炭素数６〜１２の芳香族炭化水素基、トリアジン及びジオキサン等の複素環から水素原子をｍ個除いた６〜１２員環の複素環基、並びに、これらの連結基の組合せ等が挙げられ、導入可能な炭素原子にＲ２１と同じく前記置換基を有していてもよい。
【０２２０】
式（Ｂ−２−１）においてｍが１である場合、即ち式（Ｂ−２−１）で表される構造を１つのみ有する化合物は、連結基Ｘ21を有しないことはいうまでもない。この場合、Ｘ２１の代わりに一価の置換基を有してもよく、該一価の置換基としては、Ｒ２１と同様の基が例示され、ベンゼン環に置換したＲ２１と結合して環構造を形成してもよく、ベンゼン環と連結基を介して結合してもよい。
（成分Ｄ−３）アミン系重合禁止剤
（成分Ｄ）重合禁止剤として（成分Ｄ−３）アミン系重合禁止剤を含有することができる。成分Ｄ−３としては、分子内に１つ以上のアミン部位を有し、重合禁止作用を有する化合物であれば特に限定されず、芳香族アミン系重合禁止剤、ヒンダードアミン系重合禁止剤等が例示され、ヒンダードアミン系重合禁止剤が好ましい。
【０２２１】
芳香族アミン系重合禁止剤としては、ｐ−フェニレンジアミン、Ｎ，Ｎ’−ジ−ジイソプロピル−ｐ−フェニレンジアミン、Ｎ，Ｎ’−ジ−ｓｅｃ−ブチル−ｐ−フェニレンジアミン、Ｎ，Ｎ’−ジフェニル−ｐ−フェニレンジアミン、Ｎ−（１−メチルヘプチル）−ｐ−フェニレンジアミン等のｐ−フェニレンジアミン類；４，４’−ジクミル−ジフェニルアミン、４，４’−ジオクチル−ジフェニルアミン、ｐ−メトキシフェニルメチルアミン、４，４’−ジノニルジフェニルアミン、ジフェニルアミン、フェニル−α−ナフチルアミン、フェニル−β−ナフチルアミン等の二級アミン類が挙げられる。
【０２２２】
ヒンダードアミン系重合禁止剤はヒンダードアミン（Ｈｉｎｄｅｒｅｄ  Ａｍｉｎｅ）構造（塩基性窒素原子に対し、立体障害となっている構造）を有する部位をその分子内に持つアミン化合物であればよく限定されるものではなく、公知のヒンダードアミン系重合禁止剤を用いることができる。本実施形態においては脂肪族ヒンダードアミン系重合禁止剤が好ましく用いられる。
【０２２３】
（成分Ｂ−４）その他の重合禁止剤
（成分Ｂ）重合禁止剤として、（成分Ｂ−４）その他の重合禁止剤を含有してもよい。成分Ｂ−４としては、前記成分Ｂ−１〜成分Ｂ−３以外の重合禁止剤であれば特に限定されず、例えば、ニトロソ系重合禁止剤、亜リン酸エステル系重合禁止剤等が例示される。
【０２２４】
ニトロソ系重合禁止剤としては、１−ニトロソ−２−ナフトール、２−ニトロソ−１−ナフトール、ニトロソベンゼン、ＦＩＲＳＴＣＵＲＥ  ＳＴ−１（トリス（Ｎ−ニトロソ−Ｎ−フェニルヒドロキシルアミン）アンモニウム塩、Ａｌｖｅｍａｒｌｅ社製）等が挙げられる。
【０２２５】
亜リン酸エステル系重合禁止剤としては、トリフェニルホスファイト、トリス（ノニルフェニルホスファイト）、トリエチルホスファイト、トリス（２−エチルヘキシル）ホスファイト、トリデシルホスファイト、トリス（トリデシル）ホスファイト、ジフェニルモノ（２−エチルヘキシル）ホスファイト、ジフェニルモノデシルホスファイト、ジフェニルモノ（トリデシル）ホスファイト、ジラウリルハイドロゲンホスファイト、テトラフェニルジプロピレングリコールジホスファイト、テトラフェニルテトラ（トリデシル）ペンタエリスリトールテトラホスファイト、テトラ（トリデシル）−４，４’−イソプロピリデンジフェニルジホスファイト、トリラウリルトリチオホスファイト、ビス（トリデシル）ペンタエリスリトールジホスファイト、トリステアリルホスファイト、ジステアリルペンタエリスリトールジホスファイト、ビス（ノニルフェニル）ペンタエリスリトールジホスファイト、トリス（２，４−ジ−ｔ−ブチルフェニル）ホスファイト等が挙げられる。
【０２２６】
本実施形態において、（成分Ｄ）重合禁止剤の含有率は、インク組成物全体の０．０５％〜２％の範囲であることが好ましい。成分Ｂの総和が上記範囲内であると、保存安定性及び硬化性に優れる。
【０２２７】
（成分Ｅ）着色剤
本実施形態に使用することができる着色剤としては、特に制限はないが、耐候性に優れ、色再現性に富んだ顔料及び油溶性染料が好ましく、溶解性染料等の公知の着色剤から任意に選択して使用することができる。本実施形態において好適に使用し得る着色剤は、活性放射線による硬化反応の感度を低下させないという観点からは、硬化反応である重合反応において重合禁止剤として機能しない化合物を選択することが好ましい。
【０２２８】
（顔料）
顔料としては、特に限定されるわけではないが、例えばカラーインデックスに記載される下記の番号の有機又は無機顔料が使用できる。
【０２２９】
赤又はマゼンタ顔料としては、Ｐｉｇｍｅｎｔ Ｒｅｄ ３，５，１９，２２，３１，３８，４２，４３，４８：１，４８：２，４８：３，４８：４，４８：５，４９：１，５３：１，５７：１，５７：２，５８：４，６３：１，８１，８１：１，８１：２，８１：３，８１：４，８８，１０４，１０８，１１２，１２２，１２３，１４４，１４６，１４９，１６６，１６８，１６９，１７０，１７７，１７８，１７９，１８４，１８５，２０８，２１６，２２６，２５７、Ｐｉｇｍｅｎｔ Ｖｉｏｌｅｔ ３，１９，２３，２９，３０，３７，５０，８８、Ｐｉｇｍｅｎｔ Ｏｒａｎｇｅ １３，１６，２０，３６、
青又はシアン顔料としては、Ｐｉｇｍｅｎｔ Ｂｌｕｅ １，１５，１５：１，１５：２，１５：３，１５：４，１５：６，１６，１７−１，２２，２７，２８，２９，３６，６０、
緑顔料としては、Ｐｉｇｍｅｎｔ Ｇｒｅｅｎ ７，２６，３６，５０、
黄顔料としては、Ｐｉｇｍｅｎｔ Ｙｅｌｌｏｗ １，３，１２，１３，１４，１７，３４，３５，３７，５５，７４，８１，８３，９３，９４，９５，９７，１０８，１０９，１１０，１２０，１３７，１３８，１３９，１５３，１５４，１５５，１５７，１６６，１６７，１６８，１８０，１８５，１９３、
黒顔料としては、Ｐｉｇｍｅｎｔ Ｂｌａｃｋ ７，２８，２６、
白色顔料としては、ＰｉｇｍｅｎｔＷｈｉｔｅ ６，１８，２１
などが目的に応じて使用できる。
【０２３０】
（油溶性染料）
本実施形態で使用することのできる油溶性染料とは、水に実質的に不溶な染料を意味する。具体的には、２５℃での水への溶解度（水１００ｇに溶解できる染料の質量）が１ｇ以下であり、好ましくは０．５ｇ以下、より好ましくは０．１ｇ以下であるものを指す。従って、油溶性染料とは、所謂水に不溶性の顔料や油溶性色素を意味し、これらの中でも油溶性色素が好ましい。
【０２３１】
本実施形態に使用可能な前記油溶性染料のうち、イエロー染料としては、任意のものを使用することができる。例えばカップリング成分としてフェノール類、ナフトール類、アニリン類、ピラゾロン類、ピリドン類、開鎖型活性メチレン化合物類を有するアリール若しくはヘテリルアゾ染料；例えばカップリング成分として開鎖型活性メチレン化合物類を有するアゾメチン染料；例えばベンジリデン染料やモノメチンオキソノール染料等のようなメチン染料；例えばナフトキノン染料、アントラキノン染料等のようなキノン系染料；等が挙げられ、これ以外の染料種としてはキノフタロン染料、ニトロ・ニトロソ染料、アクリジン染料、アクリジノン染料等を挙げることができる。
【０２３２】
本実施形態に使用可能な前記油溶性染料のうち、マゼンタ染料としては、任意のものを使用することができる。例えばカップリング成分としてフェノール類、ナフトール類、アニリン類を有するアリール若しくはヘテリルアゾ染料；例えばカップリング成分としてピラゾロン類、ピラゾロトリアゾール類を有するアゾメチン染料；例えばアリーリデン染料、スチリル染料、メロシアニン染料、オキソノール染料のようなメチン染料；ジフェニルメタン染料、トリフェニルメタン染料、キサンテン染料のようなカルボニウム染料；例えばナフトキノン、アントラキノン、アントラピリドンなどのようなキノン系染料；例えばジオキサジン染料等のような縮合多環系染料；等を挙げることができる。
【０２３３】
本実施形態に適用可能な前記油溶性染料のうち、シアン染料としては、任意のものを使用することができる。例えばインドアニリン染料、インドフェノール染料或いはカップリング成分としてピロロトリアゾール類を有するアゾメチン染料；シアニン染料、オキソノール染料、メロシアニン染料のようなポリメチン染料；ジフェニルメタン染料、トリフェニルメタン染料、キサンテン染料のようなカルボニウム染料；フタロシアニン染料；アントラキノン染料；例えばカップリング成分としてフェノール類、ナフトール類、アニリン類を有するアリール若しくはヘテリルアゾ染料；インジゴ・チオインジゴ染料；等を挙げることができる。
【０２３４】
前記の各染料は、クロモフォア（発色性の原子団）の一部が解離して初めてイエロー、マゼンタ、シアンの各色を呈するものであってもよく、その場合のカウンターカチオンはアルカリ金属や、アンモニウムのような無機のカチオンであってもよいし、ピリジニウム、４級アンモニウム塩のような有機のカチオンであってもよく、さらにはそれらを部分構造に有するポリマーカチオンであってもよい。
【０２３５】
以下に限定されるものではないが、好ましい具体例としては、例えば、Ｃ．Ｉ．ソルベント・ブラック ３，７，２７，２９及び３４；Ｃ．Ｉ．ソルベント・イエロー １４，１６，１９，２９，３０，５６，８２，９３及び１６２；Ｃ．Ｉ．ソルベント・レッド１，３，８，１８，２４，２７，４３，４９，５１，７２，７３，１０９，１２２，１３２及び２１８；Ｃ．Ｉ．ソルベント・バイオレット ３；Ｃ．Ｉ．ソルベント・ブルー２，１１，２５，３５，３８，６７及び７０；Ｃ．Ｉ．ソルベント・グリーン ３及び７；並びにＣ．Ｉ．ソルベント・オレンジ ２；等が挙げられる。
【０２３６】
これらの中で特に好ましいものは、Ｎｕｂｉａｎ  Ｂｌａｃｋ  ＰＣ−０８５０、Ｏｉｌ  Ｂｌａｃｋ  ＨＢＢ  、Ｏｉｌ  Ｙｅｌｌｏｗ  １２９、Ｏｉｌ  Ｙｅｌｌｏｗ  １０５、Ｏｉｌ  Ｐｉｎｋ  ３１２、Ｏｉｌ  Ｒｅｄ  ５Ｂ、Ｏｉｌ  Ｓｃａｒｌｅｔ  ３０８、Ｖａｌｉ  Ｆａｓｔ  Ｂｌｕｅ  ２６０６、Ｏｉｌ  Ｂｌｕｅ  ＢＯＳ（オリエント化学（株）製）、Ａｉｚｅｎ  Ｓｐｉｌｏｎ  Ｂｌｕｅ  ＧＮＨ（保土ヶ谷化学（株）製）、ＮｅｏｐｅｎＹｅｌｌｏｗ  ０７５、Ｎｅｏｐｅｎ  Ｍａｚｅｎｔａ  ＳＥ１３７８、Ｎｅｏｐｅｎ  Ｂｌｕｅ  ８０８、Ｎｅｏｐｅｎ  Ｂｌｕｅ  ＦＦ４０１２、Ｎｅｏｐｅｎ  Ｃｙａｎ  ＦＦ４２３８（ＢＡＳＦ社製）等である。
【０２３７】
本実施形態においては、油溶性染料は１種単独で用いてもよく、また、数種類を混合して用いてもよい。
【０２３８】
また、着色剤として油溶性染料を使用する際、本実施形態の効果を阻害しない範囲で、必要に応じて、他の水溶性染料、分散染料、顔料等の着色剤を併用することもできる。
【０２３９】
また、水非混和性有機溶媒に溶解する範囲で分散染料を用いることもできる。分散染料は一般に水溶性の染料も包含するが、本実施形態においては水非混和性有機溶媒に溶解する範囲で用いることが好ましい。分散染料の好ましい具体例としては、Ｃ．Ｉ．ディスパースイエロー ５，４２，５４，６４，７９，８２，８３，９３，９９，１００，１１９，１２２，１２４，１２６，１６０，１８４：１，１８６，１９８，１９９，２０１，２０４，２２４及び２３７；Ｃ．Ｉ．ディスパーズオレンジ １３，２９，３１：１，３３，４９，５４，５５，６６，７３，１１８，１１９及び１６３；Ｃ．Ｉ．ディスパーズレッド ５４，６０，７２，７３，８６，８８，９１，９２，９３，１１１，１２６，１２７，１３４，１３５，１４３，１４５，１５２，１５３，１５４，１５９，１６４，１６７：１，１７７，１８１，２０４，２０６，２０７，２２１，２３９，２４０，２５８，２７７，２７８，２８３，３１１，３２３，３４３，３４８，３５６及び３６２；Ｃ．Ｉ．ディスパーズバイオレット ３３；Ｃ．Ｉ．ディスパーズブルー ５６，６０，７３，８７，１１３，１２８，１４３，１４８，１５４，１５８，１６５，１６５：１，１６５：２，１７６，１８３，１８５，１９７，１９８，２０１，２１４，２２４，２２５，２５７，２６６，２６７，２８７，３５４，３５８，３６５及び３６８；並びにＣ．Ｉ．ディスパーズグリーン ６：１及び９；等が挙げられる。
【０２４０】
着色剤は、インク組成物に添加された後、適度に当該インク組成物内で分散することが好ましい。着色剤の分散には、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等の各分散装置を用いることができる。
【０２４１】
着色剤は、インク組成物の調製に際して、各成分と共に直接添加により配合してもよいが、分散性向上のため、予め溶剤又は本実施形態に使用するラジカル重合性化合物のような分散媒体に添加し、均一分散或いは溶解させた後、配合することもできる。
【０２４２】
本実施形態において、溶剤が硬化画像に残留する場合の耐溶剤性の劣化並びに残留する溶剤のＶＯＣ（Ｖｏｌａｔｉｌｅ  Ｏｒｇａｎｉｃ  Ｃｏｍｐｏｕｎｄ：揮発性有機化合物）の問題を避けるためにも、着色剤は、ラジカル重合性化合物のような分散媒体に予め添加して、配合することが好ましい。なお、分散適性の観点のみを考慮した場合、着色剤の添加に使用する重合性化合物は、粘度の低いモノマーを選択することが好ましい。
【０２４３】
これらの着色剤はインク組成物の使用目的に応じて、１種又は２種以上を適宜選択して
用いればよい。
【０２４４】
なお、インク組成物中において固体のまま存在する顔料などの着色剤を使用する際には、着色剤粒子のＤＶ９０は、５００ｎｍ以下である。着色剤粒子のＤＶ９０を５００ｎｍ以下とすることにより、ノズルからの吐出時の飛翔曲がりを防止し、飛翔速度変化の均一性を向上させることができる。したがって、中間調部分における色再現性、粒状性の良好な画像を形成することができる。着色剤粒子の粒径は、顔料作成時のミリング時間と、インク作成時の再分散時間により制御することができる。なお、顔料作成時のミリング時間とは、分散機モーターミルＭ５０（アイガー社製）に直径０．６５ｍｍのジルコニアビーズを用いて、周速９ｍ/ｓで分散した時間であり、インク作成時の再分散時間とは、シルバーソンＬ５（シルバーソン社製）を用いて攪拌速度５０００ｒｐｍで攪拌した時間である。
【０２４５】
インク組成物中における着色剤の含有率は、色、及び使用目的により適宜選択されるが、インク組成物全体の質量に対し、０．０１〜３０質量％であることが好ましい。
【０２４６】
（成分Ｆ）分散剤
インク組成物中に、（成分Ｆ）分散剤を含有することが好ましい。分散剤としては、高分子分散剤が好ましい。なお、本実施形態における「高分子分散剤」とは、質量平均分子量が１，０００以上の分散剤を意味する。
【０２４７】
高分子分散剤としては、ＤＩＳＰＥＲＢＹＫ−１０１、ＤＩＳＰＥＲＢＹＫ−１０２、ＤＩＳＰＥＲＢＹＫ−１０３、ＤＩＳＰＥＲＢＹＫ−１０６、ＤＩＳＰＥＲＢＹＫ−１１１、ＤＩＳＰＥＲＢＹＫ−１６１、ＤＩＳＰＥＲＢＹＫ−１６２、ＤＩＳＰＥＲＢＹＫ−１６３、ＤＩＳＰＥＲＢＹＫ−１６４、ＤＩＳＰＥＲＢＹＫ−１６６、ＤＩＳＰＥＲＢＹＫ−１６７、ＤＩＳＰＥＲＢＹＫ−１６８、ＤＩＳＰＥＲＢＹＫ−１７０、ＤＩＳＰＥＲＢＹＫ−１７１、ＤＩＳＰＥＲＢＹＫ−１７４、ＤＩＳＰＥＲＢＹＫ−１８２（ＢＹＫケミー社製）；ＥＦＫＡ４０１０、ＥＦＫＡ４０４６、ＥＦＫＡ４０８０、ＥＦＫＡ５０１０、ＥＦＫＡ５２０７、ＥＦＫＡ５２４４、ＥＦＫＡ６７４５、ＥＦＫＡ６７５０、ＥＦＫＡ７４１４、ＥＦＫＡ７４５、ＥＦＫＡ７４６２、ＥＦＫＡ７５００、ＥＦＫＡ７５７０、ＥＦＫＡ７５７５、ＥＦＫＡ７５８０（エフカアディティブ社製）；ディスパースエイド６、ディスパースエイド８、ディスパースエイド１５、ディスパースエイド９１００（サンノプコ（株）製）；ソルスパース（ＳＯＬＳＰＥＲＳＥ）３０００、５０００、９０００、１２０００、１３２４０、１３９４０、１７０００、２２０００、２４０００、２６０００、２８０００、３２０００、３６０００、３９０００、４１０００、７１０００などの各種ソルスパース分散剤（Ｎｏｖｅｏｎ社製）；アデカプルロニックＬ３１、Ｆ３８、Ｌ４２、Ｌ４４、Ｌ６１、Ｌ６４、Ｆ６８、Ｌ７２、Ｐ９５、Ｆ７７、Ｐ８４、Ｆ８７、Ｐ９４、Ｌ１０１、Ｐ１０３、Ｆ１０８、Ｌ１２１、Ｐ−１２３（（株）ＡＤＥＫＡ製）、イオネットＳ−２０（三洋化成工業（株）製）；ディスパロン ＫＳ−８６０、８７３ＳＮ、８７４（高分子分散剤）、＃２１５０（脂肪族多価カルボン酸）、＃７００４（ポリエーテルエステル型）（楠本化成（株）製）が挙げられる。
【０２４８】
インク組成物中における分散剤の含有率は、使用目的により適宜選択されるが、インク
組成物全体の質量に対し、０．０５〜１５質量％であることが好ましい。
【０２４９】
本発明の技術的範囲は、上記実施形態に記載の範囲には限定されない。各実施形態における構成等は、本発明の趣旨を逸脱しない範囲で、各実施形態間で適宜組み合せることができる。
【実施例】
【０２５０】
以下に実施例及び比較例を示し、本実施形態をより具体的に説明する。なお、以下の記載における「部」とは、特に断りのない限り「質量部」を示すものとする。
【０２５１】
本実施例で使用した素材は下記に示す通りである。
【０２５２】
＜重合性化合物＞
・ＮＶＣ：Ｎ−ビニルカプロラクタム（Ｖ−ＣＡＰ、ＩＳＰ社製）
・ＰＥＡ：フェノキシエチルアクリレート（ＳＲ３３９、Ｓａｒｔｏｍｅｒ社製）
・ＥＯＴＭＰＴＡ：エチレンオキサイド変性トリメチロールプロパントリアクリレート（Ｓａｒｔｏｍｅｒ社製、ＳＲ−４５４）
・ＣＴＦＡ：サイクリックトリメチロールプロパンフォーマルアクリレート（ＳＲ５３１、Ｓａｒｔｏｍｅｒ社製）
・ＩＢＯＡ：イソボロニルアクリレート（ＳＲ５０６、Ｓａｒｔｏｍｅｒ社製）
・ＤＰＧＤＡ：ジプロピレングリコールジアクリレート（ダイセル・サイテック社製）
＜重合開始剤＞
・ＩＲＧＡＣＵＲＥ  ８１９：ビス（２，４，６−トリメチルベンゾイル）−フェニルホスフィンオキサイド（ＢＡＳＦジャパン社製）
・ＤＡＲＯＣＵＲ  ＴＰＯ：ビス（２，６−ジメトキシベンゾイル）−２，４，４−トリメチル−ペンチルフェニルホスフィンオキサイド、２，４，６−トリメチルベンゾイル−ジフェニル−フォスフィンオキサイド（ＢＡＳＦジャパン社製）
・ＩＲＧＡＣＵＲＥ  １８４：１−ヒドロキシシクロヘキシルフェニルケトン（ＢＡＳＦジャパン社製）
・ＩＴＸ：イソプロピルチオキサントン（ＳＰＥＥＤＣＵＲＥ ＩＴＸ、ＬＡＭＢＳＯＮ
社製）
・ＤＥＴＸ：２，４−ジエチルチオキサントン（ＫＡＹＡＣＵＲＥ ＤＥＴＸ、日本化薬（株）製）
＜ミルベース＞
（顔料）
・ＩＮＫＪＥＴ  ＹＥＬＬＯＷ  ４ＧＣ：（イエロー顔料、クラリアント社製）
・ＣＩＮＱＵＡＳＩＡ  ＭＡＧＥＮＴＡ  ＲＴ−３５５−Ｄ：（マゼンタ顔料、チバ・スペシャルティ・ケミカルズ社製）
・ＩＲＧＡＬＩＴＥ  ＢＬＵＥ  ＧＬＶＯ：ＩＲＧＡＬＩＴＴＥ ＢＬＵＥ ＧＬＶＯ（シアン顔料、チバ・スペシャルティ・ケミカルズ社製）
・ＳＰＣＩＡＬ  ＢＬＡＣＫ  ２５０：（ブラック顔料、チバ・スペシャルティ・ケミカルズ社製）
（溶媒）
・ＮＰＧＰＯＤＡ：ＰＯ変性ネオペンチルグリコールジアクリレート（サートマー社製）
（分散剤）
・ＳＯＬＳＰＥＲＳＥ３２０００（Ｎｏｖｅｏｎ社製）
・ＳＯＬＳＰＥＲＳＥ４１０００（Ｎｏｖｅｏｎ社製）
（重合禁止剤）
・ＦＩＲＳＴＣＵＲＥ  ＳＴ−１（トリス（Ｎ−ニトロソ−Ｎ−フェニルヒドロキシアミン）アルミニウム塩（１０質量％）とフェノキシエチルアクリレート（９０質量％）との混合物、Ｃｈｅｍ  Ｆｉｒｓｔ社製）
＜オリゴマー＞
・ＣＮ９６４  Ａ８５：ウレタンアクリレートオリゴマー、平均官能基数２（サートマー・ジャパン（株）製）
［ミルベースの調整］
図１２に記載の成分の配合量で撹拌混合し、各色のミルベースを得た。ミルベースの調整は、分散機モーターミルＭ５０（アイガー社製）に入れて、直径０．６５ｍｍのジルコニアビーズを用い、周速９ｍ／ｓで、図１３〜図１９のミリング時間で粒径を細かくし、再分散時間で分散を行った。
【０２５３】
（実施例、および、比較例）
［インク組成物の作製方法］
図１３〜図１９に記載の各材料を、図１３〜図１９に記載の量で混合撹拌することにより、実施例１〜１０および比較例１、２に記載のインク組成物を得た。
【０２５４】
＜粒径＞
顔料粒径の平均値及びＤＶ９０は、濃厚系粒径アナライザーＦＰＡＲ−１０００（大塚電子株式会社製）を用いて測定を行った。
【０２５５】
＜インクジェット記録方法＞
図７に記載のインクジェット記録装置１０を用いて画像の形成を行った。なお、本実施例及び比較例においては、ノズル列６１ＣＬ及びノズル列６１Ｗについては使用していない。また、比較例２のヘッドずらし：なしについては、図９に示すインクジェットヘッド２４の構成において、各ノズル列６１ＬＭ、６１Ｋ、６１Ｃ、６１Ｍ、６１Ｙ、６１ＬＣの各ノズルが、Ｘ方向に同じ位置に配置されたインクジェットヘッドを用いて行った。また、記録媒体として桜井株式会社製ＵＶグロスコート１５７（品番ＵＶＧＣ７６０）を用いた。
【０２５６】
＜評価＞
形成後の画像について、光沢むら、べたつき、柔軟性、生産性の評価を以下の基準で行った。
【０２５７】
＜光沢むら評価＞
光沢むらに関して、目視試験による官能評価により段階評価を行ない、ゴルフ場の芝を刈り取った跡に類似するむらがないか確認を行った。
５：遠距離（２ｍ離れた距離）、近距離（手に持てる距離）いずれにおいても光沢のむらが認められない。
４：遠距離において、光沢むらは分からないが、近距離のある特定の観察角度において極僅かにむらを感じるレベル。
３：遠距離において、光沢むらは分からないが、近距離のある観察角度範囲においてむらを感じるレベルであり、実用上問題とならないレベル。
２：遠距離においても、わずかに光沢むらがわかる。また、近距離ではむらを感じ、実用上気になりＮＧとなるレベル。
１：遠距離においても光沢むらがわかり、実用上使用できないレベル。
【０２５８】
＜べたつき評価＞
インクの硬化性を、印刷物表面のべたつきとして、実際に触診による官能評価により段階評価を行った。
５：画像に全くべたつきがないレベル。
４：画像が極僅かにべたついているように感じるが、画像を積み重ねた（１００枚）場合においても貼りつき等を発生させず、実用上問題とならないレベル。
３：画像が僅かにべたついているように感じるが、画像を積み重ねた（１００枚）場合においても、僅かに剥がす際に剥離音を発生させるが、画像の転写等を発生させず、実用上問題とならないレベル。
２：画像がべたついているように感じる。画像を積み重ねた（１００枚）場合、剥がす際に剥離音を発生させる。積み重ねる基材（例えばコート紙）によっては画像面への転写が一部発生する。実用上ＮＧと判断されるレベル。
１：画像がべたついていて、ややヌルヌルすると感じる。画像を積み重ねた（１００枚）場合、印刷物を剥がす際に大きな剥離音を発生する。積み重ねる基材（例えばコート紙）によっては画像面への転写が広い範囲に渡って発生する。実用上ＮＧと判断されるレベル。
【０２５９】
＜柔軟性評価＞
柔軟性に関しては、記録媒体としてＰＶＣ（ＬＡＧマウントＰ−２８０ＲＷ  リンテック社製）を用いて、下記基準に基づき評価した。なお、本基材はシール基材となっており、屋外の看板や電車の広告など種々の場所に貼り付けて利用される。
５：貼り付け作業時に、インク画像も柔軟性に優れ、画像上で全くワレを発生させないレベル。
４：貼り付け作業時に、インク量が多いコンポジットカラー（ＣＭＹからなる３カラーグレイ（３ＣＧ）やＣＭＹＫからなる４カラーグレイ（４ＣＧ））かつ高濃度領域において極僅かにワレが発生するが、実用上問題とならないレベル。
３：貼り付け作業時に、インク量が多いコンポジットカラー（３ＣＧや４ＣＧ）の中〜高濃度領域において僅かにワレが発生するが、実用上問題とならないレベル。
２：貼り付け作業時に、インク量が比較的少ない単色（Ｙ、Ｍ、Ｃ，Ｋ）の中〜高濃度領域においてもワレが発生する。インク量が多いコンポジットカラーにおいては低濃度部においてもワレが見られ、実用上ＮＧレベル。
１：貼り付け作業時に、インク量が比較的少ない単色（Ｙ、Ｍ、Ｃ，Ｋ）の低濃度領域においてもワレが発生する。実用上ＮＧレベル。
【０２６０】
＜生産性評価＞
生産性は、シャトルスキャン速度、解像度、パス数、印刷方向（単方向印刷・双方向印刷）などの印刷条件で決定される。本実施例では、解像度６００×５００ｄｐｉ、１０パス、双方向印刷モードにおいて、シャトルスキャン速度を変化させて、単位時間当たりに出力可能な面積を生産性として定義する。この単位時間当たりに出力可能な面積を、以下のように段階評価した。
５：１時間当たり３０ｍ２以上。
４：１時間当たり２５−３０ｍ２。
３：１時間当たり１５−２５ｍ２。
２：１時間当たり１０−１５ｍ２。
１：１時間当たり１０ｍ２未満。
【０２６１】
＜結果＞
実施例４が、光沢むら、べたつき、柔軟性、生産性の全ての評価が高かった。即ち、ＮＶＣの含有率が約１５％、顔料粒径（ＤＶ９０）が約３００ｎｍ、シャトルスキャン速度（インクジェットヘッド２４の主走査方向の走査速度）が１．２ｍ／ｓの形態が最も良好である。
【０２６２】
これに対し、ＮＶＣの量が２４％である実施例１、２、３、比較例１、２については、柔軟性の評価が低かった。また、顔料粒径（ＤＶ９０）が５００ｎｍ以上である比較例１においては、顔料粒径が大きいため、吐出曲がりが生じ、光沢むらが生じていた。
【０２６３】
シャトルスキャン速度を１ｍ／ｓｅｃとした実施例３、６については、シャトルスキャン速度を１．２ｍ／ｓｅｃとした実施例と比較し、生産性が低かったが、実用上問題無いレベルであった。
【０２６４】
実施例４に対し、顔料粒径（ＤＶ９０）を約４５０ｎｍとした実施例５は、やや光沢むらが低下しているが、良好であった。
【０２６５】
実施例４に対し、ＮＶＣの含有率を８％とした実施例１０は、ややべたつきが大きくなっているが、良好であった。また、ＮＶＣの含有率を５％とした実施例７、３％とした実施例９は、べたつきが大きくなっているが、実用上問題ないレベルであった。
【０２６６】
このように、ＮＶＣの含有率が少なくなると硬化しにくくなるため、ＮＶＣの含有率は、柔軟性、べたつきの観点から、１０％〜１５％の範囲とすることが好ましい。
【０２６７】
また、実施例７に対してシャトルスキャン速度を２ｍ／ｓｅｃとした実施例８については、光沢むらが大きくなったが、問題無いレベルであった。また、シャトルスキャン速度の増加に伴い硬化光源からの紫外線の照射量が減少するため、べたつきについても大きくなったが、問題無いレベルであった。
【０２６８】
ヘッドずらしを行わない比較例２は、光沢むらが非常に大きかったが、同じ組成でヘッドずらしを行った実施例２においては、光沢むらが良化していた。ヘッドずらしを行うことで、光沢むらを良化させることができることが確認できた。
【符号の説明】
【０２６９】
１０，１００…インクジェット記録装置、６１…ノズル列、１１０…インクジェットヘッド、１１２…ヘッド、１１４…ノズル、１１６…硬化光源、１１８…キャリッジ、１２０…記録媒体、１２２…画素群、１３０…キャリッジ走査機構、１３２…記録媒体搬送機構、１３６…画像処理部、１３８…制御部、１４０…ヘッドユニット
【図１】
2014083804.tif 000010
【図２】
2014083804.tif 000011
【図３】
2014083804.tif 000012
【図４】
2014083804.tif 000013
【図５】
2014083804.tif 000014
【図６】
2014083804.tif 000015
【図７】
2014083804.tif 000016
【図８】
2014083804.tif 000017
【図９】
2014083804.tif 000018
【図１０】
2014083804.tif 000019
【図１１】
2014083804.tif 000020
【図１２】
2014083804.tif 000021
【図１３】
2014083804.tif 000022
【図１４】
2014083804.tif 000023
【図１５】
2014083804.tif 000024
【図１６】
2014083804.tif 000025
【図１７】
2014083804.tif 000026
【図１８】
2014083804.tif 000027
【図１９】
2014083804.tif 000028